(57)【要約】【課題】面内輝度を均一化しつつ、変調比を高くすることの可能な照明装置およびそれを備えた表示装置を提供する。【解決手段】導光板１０に接着された光変調素子３０内に、バルク３４Ａおよび微粒子３４Ｂを含んだ光変調層３４が設けられている。バルク３４Ａおよび微粒子３４Ｂは共に光学異方性を有しており、これらの電場に対する応答速度が互いに異なっている。光変調素子３０内には、バルク３４Ａおよび微粒子３４Ｂに電場を印加する下側電極３２および上側電極３６が設けられている。下側電極３２および上側電極３６は、帯状の複数の部分電極３２Ａ，３６Ａからなる。部分電極３２Ａ，３６Ａの少なくとも一方がパターニングされており、これらのうちパターニングされた電極のパターン密度が光源２０からの距離に応じて異なっている。【選択図】図１
2011142065.tif 000002
【特許請求の範囲】
【請求項１】
導光板と、
前記導光板の側面に配置された光源と、
前記導光板の表面または内部に配置されると共に前記導光板と接着された光変調素子と
を備え、
前記光変調素子は、離間して互いに対向配置された一対の透明基板と、前記一対の透明基板の一方の透明基板の表面に設けられた第１電極と、前記一対の透明基板の他方の透明基板の表面に設けられた第２電極と、前記一対の透明基板の間隙に設けられ、かつ電場の大きさに応じて、前記光源からの光に対して散乱性もしくは透明性を示す光変調層とを有し、
前記第１電極および前記第２電極の少なくとも一方がパターニングされたものであり、
前記第１電極および前記第２電極のうちパターニングされた電極のパターン密度が前記光源からの距離に応じて異なっている
照明装置。
【請求項２】
前記第１電極および前記第２電極の少なくとも一方が複数の開口を有し、
前記開口の径は、前記光源からの距離に拘わらず一定となっており、
前記開口の密度が、前記光源からの距離に応じて異なっている
請求項１に記載の照明装置。
【請求項３】
前記第１電極および前記第２電極の少なくとも一方が複数の開口を有し、
前記開口の径が、前記光源からの距離に応じて異なっており、
前記開口の密度が、前記光源からの距離に応じて異なっている
請求項１に記載の照明装置。
【請求項４】
前記第１電極および前記第２電極のうちパターニングされた電極のパターン密度が、前記第１電極および前記第２電極のうちパターニングされた電極全体に関して、前記光源からの距離に応じて異なっている
請求項１ないし請求項３のいずれか一項に記載の照明装置。
【請求項５】
前記光変調層は、前記第１電極および前記第２電極の間に電圧が印加されている時に前記光源からの光に対して散乱性を示し、前記第１電極および前記第２電極の間に電圧が印加されていない時に前記光源からの光に対して透明性を示し、
前記第１電極および前記第２電極のうちパターニングされた電極のパターン密度が前記光源からの距離に応じて大きくなっている
請求項１ないし請求項３のいずれか一項に記載の照明装置。
【請求項６】
前記光変調層は、前記第１電極および前記第２電極の間に電圧が印加されている時に前記光源からの光に対して透明性を示し、前記第１電極および前記第２電極の間に電圧が印加されていない時に前記光源からの光に対して散乱性を示し、
前記第１電極および前記第２電極のうちパターニングされた電極のパターン密度が前記光源からの距離に応じて小さくなっている
請求項１ないし請求項３のいずれか一項に記載の照明装置。
【請求項７】
前記第１電極および前記第２電極の少なくとも一方が複数の部分電極によって構成されている
請求項１ないし請求項６のいずれか一項に記載の照明装置。
【請求項８】
前記第１電極および前記第２電極のうちパターニングされた電極のパターン密度が、前記部分電極ごとに、前記光源からの距離に応じて異なっている
請求項７に記載の照明装置。
【請求項９】
前記光変調層は、光学異方性を有すると共に電場に対する応答速度が互いに異なる第１領域および第２領域を含み、
前記第１領域および前記第２領域は、前記第１電極および前記第２電極の間に電圧が印加されていない時に当該第１領域および当該第２領域の光軸が互いに平行となり、前記第１電極および前記第２電極の間に電圧が印加されている時に当該第１領域および当該第２領域の光軸が互いに交差するような構造となっている
請求項１ないし請求項３のいずれか一項に記載の照明装置。
【請求項１０】
前記第１領域は、前記一対の電極の間に電圧が印加されていない時に当該第１領域の光軸が前記導光板の側面のうち前記光源の光が入射する光入射面と平行となると共に前記透明基板の表面と第１角度で交差する構成となっており、かつ、前記一対の電極の間に電圧が印加されている時に当該第１領域の光軸が前記光入射面と平行となると共に前記透明基板の表面と前記第１角度よりも大きな第２角度で交差する構成となっており、
前記第２領域は、前記一対の電極の間への電圧印加の有無に拘らず、当該第２領域の光軸が前記光入射面と平行となると共に前記透明基板の表面と前記第１角度で交差する構成となっている
請求項９に記載の照明装置。
【請求項１１】
前記第１領域は、前記一対の電極の間に電圧が印加されていない時に当該第１領域の光軸が前記導光板の側面のうち前記光源の光が入射する光入射面と平行となると共に前記透明基板の法線と第３角度で交差する構成となっており、かつ、前記一対の電極の間に電圧が印加されている時に当該第１領域の光軸が前記光入射面と平行となると共に前記透明基板の法線と前記第３角度よりも大きな第４角度で交差するか、または前記透明基板の表面と平行となる構成となっており、
前記第２領域は、前記一対の電極の間への電圧印加の有無に拘らず、当該第２領域の光軸が前記光入射面と平行となると共に前記透明基板の表面と前記第３角度で交差する構成となっている
請求項９に記載の照明装置。
【請求項１２】
前記第１電極および前記第２電極のうち少なくとも一方が複数の部分電極によって構成され、かつ、前記複数の部分電極によって複数のセルが構成され、
前記複数のセルの、前記光源からの距離に応じて、前記複数の部分電極に印加する電圧を変調する駆動回路を備えた
請求項１ないし請求項１１のいずれか一項に記載の照明装置。
【請求項１３】
前記駆動回路は、前記光源からの距離と、映像信号とに応じて、前記複数の部分電極に印加する電圧を変調する
請求項１２に記載の照明装置。
【請求項１４】
前記光源は、前記セルに対応して設けられ、かつ互いに独立駆動可能な複数の光源ブロックを有し、
前記駆動回路は、発光対象のセルの、前記光源からの距離に応じて、前記光源ブロックに印加する電流もしくは電圧を変調する
請求項１２または請求項１３に記載の照明装置。
【請求項１５】
前記駆動回路は、発光対象のセルの、前記光源からの距離と、映像信号とに応じて、前記複数の部分電極に印加する電圧を変調する
請求項１３に記載の照明装置。
【請求項１６】
前記第１電極および前記第２電極のうちパターニングされた電極のパターン密度が互いに隣接する２つのセル間で連続的に変化している
請求項１２に記載の照明装置。
【請求項１７】
マトリクス状に配置された複数の画素を有し、前記複数の画素が画像信号に基づいて駆動される表示パネルと、
前記表示パネルを照明する照明装置と
を備え、
前記照明装置は、導光板と、前記導光板の側面に配置された光源と、前記導光板の表面または内部に配置されると共に前記導光板と接着された光変調素子とを前記表示パネル側から順に有し、
前記光変調素子は、離間して互いに対向配置された一対の透明基板と、前記一対の透明基板の一方の透明基板の表面に設けられた第１電極と、前記一対の透明基板の他方の透明基板の表面に設けられた第２電極と、前記一対の透明基板の間隙に設けられ、かつ電場の大きさに応じて、前記光源からの光に対して散乱性もしくは透明性を示す光変調層とを有し、
前記第１電極および前記第２電極の少なくとも一方がパターニングされたものであり、
前記第１電極および前記第２電極のうちパターニングされた電極のパターン密度が前記光源からの距離に応じて異なっている
表示装置。
【発明の詳細な説明】
【技術分野】
【０００１】
本発明は、光に対して散乱性または透明性を示す光変調素子を備えた照明装置および表示装置に関する。
【背景技術】
【０００２】
近年、液晶ディスプレイの高画質化や省エネ化が急進展し、部分的にバックライトの光強度を変調することによって暗所コントラストの向上を実現する方式が提案されている。この手法は主に、バックライトの光源として用いられる発光ダイオード（ＬＥＤ；Light Emitting Diode）を部分的に駆動して、表示画像に合わせてバックライト光を変調するものである。また、大型の液晶ディスプレイにおいて、小型の液晶ディスプレイと同様、薄型化の要求が強まってきており、冷陰極管（ＣＣＦＬ；Cold Cathode Fluorescent Lamp）やＬＥＤを液晶パネルの直下に配置する方式ではなく、導光板の端部に光源を配置するエッジライト方式が注目されている。しかし、エッジライト方式では、光源の光強度を部分的に変調する部分駆動を行うことは難しい。
【先行技術文献】
【特許文献】
【０００３】
【特許文献１】特開平６−３４７７９０号公報
【特許文献２】特開平１１−１４２８４３号公報
【特許文献３】特開２００４−２５３３３５号公報
【発明の概要】
【発明が解決しようとする課題】
【０００４】
ところで、導光板内を伝播している光の取り出し技術としては、例えば、特許文献１において、透明と散乱を切り換える高分子分散液晶（ＰＤＬＣ；Polymer Dispersed Liquid Crystal）を用いた表示装置が提案されている。これは、写り込み防止などを目的としたものであり、ＰＤＬＣに対して部分的に電圧を印加して、透明と散乱を切り換える技術である。
【０００５】
一方、エッジライト方式のバックライトでは、面内輝度の均一化を行うことを目的として、例えば、ＬＥＤやＣＣＦＬなどの光源からの距離に応じて、印刷パターン、取り出し形状の粗密または一つのパターンの大きさを変える技術が知られている（例えば、特許文献２参照）。特許文献２に記載の技術は、言わば、導光板から光を均一に取り出す技術であり、光を取り出すことのみを考慮したものである。面内輝度を均一化する技術としては、その他に、例えば、拡散シートの光拡散率を光源からの距離に応じて徐々に変化させるものが知られている（例えば、特許文献３参照）。
【０００６】
ここで、例えば、特許文献２または特許文献３の技術と、特許文献１のＰＤＬＣとを組み合わせることにより、バックライト光の面内輝度の均一化を行うことが考えられる。しかし、そのようにした場合には、輝度を均一化することは可能であるが、暗表示での輝度が高くなってしまい、明表示輝度と暗表示輝度の変調比を高くすることができないという問題がある。
【０００７】
本発明はかかる問題点に鑑みてなされたもので、その目的は、面内輝度を均一化しつつ、変調比を高くすることの可能な照明装置およびそれを備えた表示装置を提供することにある。
【課題を解決するための手段】
【０００８】
本発明の照明装置は、導光板と、導光板の側面に配置された光源と、導光板の表面または内部に配置されると共に導光板と接着された光変調素子とを備えたものである。上記光変調素子は、離間して互いに対向配置された一対の透明基板と、一対の透明基板の一方の透明基板の表面に設けられた第１電極と、一対の透明基板の他方の透明基板の表面に設けられた第２電極とを有している。この光変調素子は、さらに、一対の透明基板の間隙に設けられ、かつ電場の大きさに応じて、光源からの光に対して散乱性もしくは透明性を示す光変調層を有している。第１電極および第２電極の少なくとも一方がパターニングされたものであり、第１電極および第２電極のうちパターニングされた電極のパターン密度が光源からの距離に応じて異なっている。
【０００９】
本発明の表示装置は、マトリクス状に配置された複数の画素を有すると共に、複数の画素が画像信号に基づいて駆動される表示パネルと、表示パネルを照明する照明装置とを備えたものである。この表示装置に搭載された照明装置は、上記照明装置と同一の構成要素を有している。
【００１０】
本発明の照明装置および表示装置では、導光板に接着された光変調素子内に、電場の大きさに応じて、光源からの光に対して散乱性もしくは透明性を示す光変調層が設けられている。これにより、光源から発せられ、導光板を伝播する光は、光変調層のうち、電場制御によって透明性を示す領域を透過し、透明基板の界面において全反射されるか、または高反射率で反射される。その結果、照明装置の光射出領域のうち透明性を示す領域と対応する領域（以下、単に「光射出領域における透明領域」とする）の輝度が、上記光変調素子を設けていない場合と比べて低くなる。一方、導光板を伝播する光は、光変調層のうち、電場制御によって散乱性を示す領域で散乱され、透明基板の界面を透過する。その結果、照明装置の光射出領域のうち散乱性を示す領域と対応する領域（以下、単に「光射出領域における散乱領域」とする）の輝度が、上記光変調素子を設けていない場合と比べて高くなる。しかも、光射出領域における透明領域の輝度が低下した分だけ、部分的な白表示の輝度（輝度突き上げ）が大きくなる。また、本発明では、光変調素子内に設けられた第１電極および第２電極の少なくとも一方がパターニングされており、第１電極および第２電極のうちパターニングされた電極のパターン密度が光源からの距離に応じて異なっている。これにより、光射出領域における透明領域および散乱領域の密度分布を所望の分布にすることができる。その結果、光射出領域のうち光源側の輝度を、上記光変調素子を設けていない場合よりも低く抑え、光射出領域のうち光源とは反対側の輝度を、上記光変調素子を設けていない場合よりも高くすることが可能である。
【発明の効果】
【００１１】
本発明の照明装置および表示装置によれば、光射出領域のうち光源側の輝度を、上記光変調素子を設けていない場合よりも低く抑え、光射出領域のうち光源とは反対側の輝度を、上記光変調素子を設けていない場合よりも高くすることができる。これにより、面内輝度を均一化しつつ、変調比を高くすることができる。
【図面の簡単な説明】
【００１２】
【図１】本発明の第１の実施の形態に係るバックライトの構成の一例を表す断面図である。
【図２】図１の上側電極および下側電極の構成の一例を表す斜視図である。
【図３】図１の上側電極の上面構成の一例を表す平面図である。
【図４】図１の下側電極の上面構成の一例を表す平面図である。
【図５】図１の上側電極の上面構成の他の例を表す平面図である。
【図６】図１の下側電極の上面構成の他の例を表す平面図である。
【図７】図１のバックライトの構成の他の例を表す断面図である。
【図８】図１の光変調素子の作用の一例について説明するための模式図である。
【図９】図１の光変調素子の作用の他の例について説明するための模式図である。
【図１０】図１のバックライトの作用について説明するための模式図である。
【図１１】図１のバックライトの製造工程について説明するための断面図である。
【図１２】図１１に続く製造工程について説明するための断面図である。
【図１３】図１２に続く製造工程について説明するための断面図である。
【図１４】図１のバックライトの正面輝度について説明するための特性図である。
【図１５】本発明の第２の実施の形態に係るバックライトに搭載された光変調素子の作用について説明するための模式図である。
【図１６】図１５の光変調素子の作用の他の例について説明するための模式図である。
【図１７】図１の光変調素子の一変形例の作用の一例について説明するための模式図である。
【図１８】図１７の光変調素子の作用の他の例について説明するための模式図である。
【図１９】図１のバックライトの構成のその他の例を表す断面図である。
【図２０】図１のバックライトの構成のその他の例を表す断面図である。
【図２１】図１のバックライトの構成のその他の例を表す断面図である。
【図２２】図１の上側電極の上面構成のその他の例を表す平面図である。
【図２３】図１の下側電極の上面構成のその他の例を表す平面図である。
【図２４】図２の電極構造の第１変形例を表す斜視図である。
【図２５】図２の電極構造の第２変形例を表す斜視図である。
【図２６】図２の電極構造の第３変形例を表す斜視図である。
【図２７】図２の電極構造の第４変形例を表す斜視図である。
【図２８】光変調セルごとに発光輝度が異なっている様子を表す模式図である。
【図２９】光変調セルに印加される電圧波形の一例を表す波形図である。
【図３０】光変調セルごとの発光輝度が等しくなっている様子を表す模式図である。
【図３１】光変調セルに印加される電圧波形の一例を表す波形図である。
【図３２】１ラインの発光輝度分布の計測値を表す図である。
【図３３】図３２の発光輝度分布を計測する際の駆動条件を表す図である。
【図３４】光変調セルごとに発光輝度が異なっている様子を表す模式図である。
【図３５】１ラインの発光輝度分布の計測値を表す図である。
【図３６】図３５の発光輝度分布を計測する際の駆動条件を表す図である。
【図３７】光変調セルごとに発光輝度が異なっている様子を表す模式図である。
【図３８】光変調セルごとに発光輝度が異なっている様子を表す模式図である。
【図３９】光変調セルに印加される電圧波形の一例と、光源に印加される電流波形の一例とを表す波形図である。
【図４０】光変調セルに印加される電圧波形の他の例と、光源に印加される電流波形の他の例とを表す波形図である。
【図４１】図１のバックライトの構成のその他の例を表す断面図である。
【図４２】全ての光変調セルが明状態となっている様子を表す模式図である。
【図４３】全ての光変調セルがやや暗い状態となっている様子を表す模式図である。
【図４４】光源に印加される電流波形の一例を表す波形図である。
【図４５】一適用例にかかる表示装置の一例を表す断面図である。
【発明を実施するための形態】
【００１３】
以下、発明を実施するための形態について、図面を参照して詳細に説明する。なお、説明は以下の順序で行う。
１．第１の実施の形態（バックライト、反転ＰＤＬＣ（水平タイプ））
２．第２の実施の形態（バックライト、反転ＰＤＬＣ（垂直タイプ））
３．第１の変形例（バックライト、ノーマリーホワイトＰＤＬＣ）
４．第２の変形例（バックライト、光変調素子の位置のバリエーション）
５．第３の変形例（バックライト、光学シートの追加）
６．第４の変形例（バックライト、電極のパターニングのバリエーション）
７．駆動方法
８．適用例（表示装置）
９．実施例（表示装置）
【００１４】
＜第１の実施の形態＞
図１（Ａ）は、本発明の第１の実施の形態に係るバックライト１（照明装置）の断面構成の一例を表したものである。図１（Ｂ）は、図１のバックライト１の断面構成の一例を表したものである。なお、図１（Ａ），（Ｂ）は、模式的に表したものであり、実際の寸法や形状と同一であるとは限らない。このバックライト１は、例えば、液晶表示パネルなどを背後から照明するものであり、導光板１０と、導光板１０の側面に配置した光源２０と、導光板１１の背後に配置した光変調素子３０および反射板４０と、光変調素子３０を駆動する駆動回路５０とを備えている。
【００１５】
導光板１０は、導光板１０の側面に配置した光源２０からの光をバックライト１の上面に導くものである。この導光板１０は、導光板１０の上面に配置される表示パネル（図示せず）に対応した形状、例えば、上面、下面および側面で囲まれた直方体状となっている。なお、以下では、導光板１０の側面のうち光源２０からの光が入射する側面を光入射面１０Ａと称するものとする。導光板１０は、例えば、上面および下面の少なくとも一方の面に、所定のパターン化された形状を有しており、光入射面１０Ａから入射した光を散乱し、均一化する機能を有している。なお、バックライト１に印加する電圧を変調することによって輝度の均一化を行う場合には、パターン化されていない平坦な導光板を導光板１０として用いることも可能である。この導光板１０は、例えば、表示パネルとバックライト１との間に配置される光学シート（例えば、拡散板、拡散シート、レンズフィルム、偏光分離シートなど）を支持する支持体としても機能する。導光板１０は、例えば、ポリカーボネート樹脂（ＰＣ）やアクリル樹脂（ポリメチルメタクリレート（ＰＭＭＡ）などの透明熱可塑性樹脂を主に含んで構成されている。
【００１６】
光源２０は、線状光源であり、例えば、熱陰極管(ＨＣＦＬ；Hot Cathode Fluorescent Lamp)、ＣＣＦＬ、または複数のＬＥＤを一列に配置したものなどからなる。光源２０が複数のＬＥＤからなる場合には、効率、薄型化、均一性の観点から、全てのＬＥＤがホワイトＬＥＤであることが好ましい。なお、光源２０が、例えば、赤色ＬＥＤ、緑色ＬＥＤおよび青色ＬＥＤを含んで構成されていてもよい。光源２０は、図１（Ａ）に示したように、導光板１０の一の側面にだけ設けられていてもよいし、導光板１０の２つの側面、３つの側面または全ての側面に設けられていてもよい。
【００１７】
反射板４０は、導光板１０の背後から光変調素子３０を介して漏れ出てきた光を導光板１０側に戻すものであり、例えば、反射、拡散、散乱などの機能を有している。これにより、光源２０からの射出光を効率的に利用することができ、また、正面輝度の向上にも役立っている。この反射板４０は、例えば、発泡ＰＥＴ（ポリエチレンテレフタレート）や銀蒸着フィルム、多層膜反射フィルム、白色ＰＥＴなどからなる。
【００１８】
光変調素子３０は、本実施の形態において、導光板１０の背後（下面）に空気層を介さずに密着しており、例えば接着剤（図示せず）を介して導光板１０の背後に接着されている。この光変調素子３０は、例えば、図１（Ｂ）に示したように、透明基板３１、下側電極３２、配向膜３３、光変調層３４、配向膜３５、上側電極３６および透明基板３７を反射板４０側から順に配置されたものである。
【００１９】
透明基板３１，３７は、光変調層３４を支持するものであり、一般に、可視光に対して透明な基板、例えば、ガラス板や、プラスチックフィルムによって構成されている。下側電極３２は、透明基板３１のうち透明基板３７との対向面上に設けられたものであり、例えば、図２に光変調素子３０の一部を抜き出して示したように、面内の一の方向に延在する帯状の複数の部分電極３２Ａを互いに並列配置したものである。また、上側電極３６は、透明基板３７のうち透明基板３１との対向面上に設けられたものであり、例えば、図２に示したように、面内の一の方向であって、かつ下側電極３２の延在方向と交差（直交）する方向に延在する帯状の複数の部分電極３６Ａを互いに並列配置したものである。
【００２０】
下側電極３２および上側電極３６のパターンは、駆動方式に依存するものである。例えば、これらが上述したような帯状の部分電極を並列配置したものとなっている場合には、例えば、各部分電極を単純マトリクス駆動することが可能である。一方の電極がベタ膜となっており、他方の電極が微小な方形状となっている場合には、例えば、各電極をアクティブマトリクス駆動することが可能である。また、一方の電極がベタ膜となっており、他方の電極が細かな引出線がついたブロック状となっている場合には、例えば、それぞれの分割ブロックを独自に駆動できるセグメント方式にすることもできる。
【００２１】
下側電極３２および上側電極３６（部分電極３２Ａ，３６Ａ）の少なくとも一方がパターニングされている。さらに、下側電極３２および上側電極３６（部分電極３２Ａ，３６Ａ）のうちパターニングされた電極のパターン密度が光源２０からの距離に応じて異なっている。ここで、各部分電極３２Ａがパターニングされている場合に、互いに隣接する２つのセル間（２つの部分電極３２Ａ間）で連続的に変化していることが好ましい。同様に、各部分電極３６Ａがパターニングされている場合に、互いに隣接する２つのセル間（２つの部分電極３６Ａ間）で連続的に変化していることが好ましい。
【００２２】
部分電極３６Ａがパターニングされている場合には、例えば、図３（Ａ），（Ｂ）に示したように、部分電極３６Ａに複数の開口３６Ｂが設けられており、開口３６Ｂの密度が、上側電極３６全体に関して光源２０からの距離に応じて異なっている。開口３６Ｂの形状は、例えば、図３（Ａ），（Ｂ）に示したように円形状となっている。なお、開口３６Ｂの形状は、それ以外の形状であってもよく、例えば、楕円形状、多角形状であってもよい。図３（Ａ）に示した例では、開口３６Ｂの径ｒ1は、光源２０からの距離に拘わらず一定（ｒ1＝ａ1）となっており、単位面積当たりの開口３６Ｂの数が、光源２０からの距離が遠くなるにつれて少なくなっている。また、図３（Ｂ）に示した例では、単位面積当たりの開口３６Ｂの数は、光源２０からの距離に拘わらず一定となっており、開口３６Ｂの径ｒ1が、光源２０からの距離が遠くなるにつれて小さくなっている。なお、図３（Ｂ）には、光源２０近傍の径ｒ1がａ2となっており、光源２０から最も離れたところの径ｒ1がａ3（＜ａ2）となっている場合が例示されている。従って、図３（Ａ），（Ｂ）のいずれの例においても、開口３６Ｂの密度（単位面積当たりの開口３６Ｂの占有率）が、光源２０からの距離が遠くなるにつれて疎になっている（小さくなっている）。言い換えると、上側電極３６のパターン密度（上側電極３６のうち開口３６Ｂ以外の部分の単位面積当たりの占有率）が、光源２０からの距離が遠くなるにつれて密になっている（大きくなっている）。
【００２３】
部分電極３２Ａがパターニングされている場合には、例えば、図４（Ａ），（Ｂ）に示したように、部分電極３２Ａに複数の開口３２Ｂが設けられており、開口３２Ｂの密度が、下側電極３２全体に関して光源２０からの距離に応じて異なっている。各部分電極３２Ａについては、開口３２Ｂの密度が、光源２０からの距離に応じて異なっていてもよいし、光源２０からの距離に拘わらず一定となっていてもよい。開口３２Ｂの形状は、それ以外の形状であってもよく、例えば、楕円形状、多角形状であってもよい。図４（Ａ）に示した例では、開口３２Ｂの径ｒ2は、光源２０からの距離に拘わらず一定（ｒ2＝ａ4）となっており、単位面積当たりの開口３２Ｂの数が、光源２０からの距離が遠くなるにつれて少なくなっている。また、図４（Ｂ）に示した例では、単位面積当たりの開口３２Ｂの数は、光源２０からの距離に拘わらず一定となっており、開口３２Ｂの径ｒ2が、光源２０からの距離が遠くなるにつれて小さくなっている。なお、図４（Ｂ）には、光源２０近傍の径ｒ2がａ5となっており、光源２０から最も離れたところの径ｒ2がａ6（＜ａ5）となっている場合が例示されている。従って、図４（Ａ），（Ｂ）のいずれの例においても、開口３２Ｂの密度（単位面積当たりの開口３２Ｂの占有率）が、光源２０からの距離が遠くなるにつれて疎になっている（小さくなっている）。言い換えると、下側電極３２のパターン密度（下側電極３２のうち開口３２Ｂ以外の部分の単位面積当たりの占有率）が、光源２０からの距離が遠くなるにつれて密になっている（大きくなっている）。
【００２４】
部分電極３２Ａ，３６Ａの双方がパターニングされている場合には、部分電極３６Ａに、例えば、図３（Ａ）または図３（Ｂ）に示したパターニングがなされ、部分電極３２Ａに、例えば、図４（Ａ）または図４（Ｂ）に示したパターニングがなされている。なお、部分電極３２Ａ，３６Ａの双方がパターニングされている場合には、部分電極３２Ａ，３６Ａの双方のパターン密度が、必ず、光源２０からの距離に応じて異なっている必要はない。この場合には、部分電極３２Ａのパターン密度（開口３２Ａの密度）が下側電極３２全体に関して光源２０からの距離に応じて異なっているか、または、部分電極３６Ａのパターン密度（開口３６Ａの密度）が上側電極３６全体に関して光源２０からの距離に応じて異なっていればよい。
【００２５】
例えば、部分電極３６Ａのパターン密度が上側電極３６全体に関して光源２０からの距離に応じて異なっている場合に、例えば、図５（Ａ）に示したように、部分電極３２Ａに複数の開口３２Ｂが設けられており、開口３２Ｂの密度が、光源２０からのに拘わらず一定となっていてもよい。なお、部分電極３６Ａのパターン密度が上側電極３６全体に関して光源２０からの距離に応じて異なっている場合には、例えば、図５（Ｂ）に示したように、部分電極３２Ａにパターンを設けず、部分電極３２Ａを、開口や切欠きのない平板形状としてもよい。
【００２６】
また、例えば、部分電極３２Ａのパターン密度が下側電極３２全体に関して光源２０からの距離に応じて異なっている場合に、例えば、図６（Ａ）に示したように、部分電極３６Ａに複数の開口３６Ｂが設けられており、開口３６Ｂの密度が、光源２０からのに拘わらず一定となっていてもよい。なお、部分電極３２Ａのパターン密度が下側電極３２全体に関して光源２０からの距離に応じて異なっている場合には、例えば、図６（Ｂ）に示したように、部分電極３６Ａにパターンを設けず、部分電極３６Ａを、開口や切欠きのない平板形状としてもよい。
【００２７】
部分電極３２Ａ，３６Ａの双方がパターニングされている場合に、開口３２Ｂが開口３６Ｂと完全に対向する位置に設けられていてもよいが、開口３２Ｂが、開口３６Ｂの一部と対向する位置に設けられているか、または、開口３６Ｂと対向しない位置に設けられている方が好ましい。また、部分電極３２Ａ，３６Ａの双方がパターニングされている場合に、開口３２Ｂの径と開口３６Ｂの径とが互いに等しくなっていてもよいし、互いに異なっていてもよい。
【００２８】
下側電極３２および上側電極３６のうち少なくとも上側電極３６（バックライト１の上面側の電極）は透明な導電性材料、例えば、酸化インジウムスズ（ＩＴＯ；Indium Tin Oxide）からなる。ただし、下側電極３２（バックライト１の下面側の電極）については、透明な材料でなくてもよく、例えば、金属によって構成されていてもよい。なお、下側電極３２が金属によって構成されている場合には、下側電極３２は、反射板４０と同様、導光板１０の背後から光変調素子３０に入射する光を反射する機能も兼ね備えていることになる。従って、この場合には、例えば、図７に示したように、反射板４０をなくすることも可能である。
【００２９】
下側電極３２および上側電極３６を光変調素子３０の法線方向から見たときに、光変調素子３０のうち下側電極３２および上側電極３６が互いに対向している箇所に対応する部分が光変調セル３０−１を構成している。各光変調セル３０−１は、下側電極３２および上側電極３６に所定の電圧を印加することにより別個独立に駆動することの可能なものであり、下側電極３２および上側電極３６に印加される電圧値の大きさに応じて、光源２０からの光に対して透明性を示したり、散乱性を示したりする。なお、透明性、散乱性については、光変調層３４を説明する際に詳細に説明する。
【００３０】
配向膜３３，３５は、例えば、光変調層３４に用いられる液晶やモノマーを配向させるものである。配向膜の種類としては、例えば、垂直用配向膜および水平用配向膜があるが、本実施の形態では、配向膜３３，３５には水平用配向膜が用いられる。水平用配向膜としては、例えば、ポリイミド、ポリアミドイミド、ポリビニルアルコールなどをラビング処理することにより形成された配向膜、転写やエッチングなどにより溝形状が付与された配向膜が挙げられる。また、水平用配向膜としては、例えば、酸化ケイ素などの無機材料を斜方蒸着することにより形成された配向膜、イオンビーム照射により形成されたダイヤモンドライクカーボン配向膜、電極パターンスリットの形成された配向膜が挙げられる。透明基板３１，３７としてプラスチックフィルムを用いる場合には、製造工程において、透明基板３１，３７の表面に配向膜３３，３５を塗布した後の焼成温度ができるだけ低いことが好ましいことから、配向膜３３，３５として、１００℃以下の温度で形成可能なポリアミドイミドを用いることが好ましい。
【００３１】
また、垂直、水平いずれの配向膜においても、液晶とモノマーを配向させる機能があれば十分であり、通常の液晶ディスプレイに要求される電圧の繰り返し印加による信頼性などは必要ない。デバイス作成後の電圧印加による信頼性は、モノマーを重合したものと液晶との界面で決まるためである。また、配向膜を用いなくても、例えば、下側電極３２および上側電極３６間に電場や磁場を印加することによっても、光変調層３４に用いられる液晶やモノマーを配向させることが可能である。つまり、下側電極３２および上側電極３６間に電場や磁場を印加しながら、紫外線照射して電圧印加状態での液晶やモノマーの配向状態を固定させることができる。配向膜の形成に電圧を用いる場合には、配向用と駆動用とで別々の電極を形成するか、液晶材料に周波数によって誘電率異方性の符号が反転する二周波液晶などを用いることができる。また、配向膜の形成に磁場を用いる場合、配向膜として磁化率異方性の大きい材料を用いることが好ましく、例えば、ベンゼン環の多い材料を用いることが好ましい。
【００３２】
光変調層３４は、例えば、図１（Ｂ）に示したように、バルク３４Ａ（第２領域）と、バルク３４Ａ内に分散された微粒子状の複数の微粒子３４Ｂ（第１領域）とを含んだ複合層となっている。バルク３４Ａおよび微粒子３４Ｂは光学異方性を有している。
【００３３】
図８（Ａ）は、下側電極３２および上側電極３６間に電圧が印加されていない時の、微粒子３４Ｂ内の配向状態の一例を模式的に表したものである。なお、図８（Ａ）において、バルク３４Ａ内の配向状態についての記載を省略した。図８（Ｂ）は、下側電極３２および上側電極３６間に電圧が印加されていない時の、バルク３４Ａおよび微粒子３４Ｂの屈折率異方性を示す屈折率楕円体の一例を表したものである。この屈折率楕円体は、様々な方向から入射した直線偏光の屈折率をテンソル楕円体で表したものであり、光が入射する方向からの楕円体の断面を見ることによって、幾何的に屈折率を知ることができるものである。図８（Ｃ）は、下側電極３２および上側電極３６間に電圧が印加されていない時の、正面方向に向かう光Ｌ１と、斜め方向に向かう光Ｌ２とが光変調層３４を透過する様子の一例を模式的表したものである。
【００３４】
図９（Ａ）は、下側電極３２および上側電極３６間に電圧が印加されている時の、微粒子３４Ｂ内の配向状態の一例を模式的に表したものである。なお、図９（Ａ）において、バルク３４Ａ内の配向状態についての記載を省略した。図９（Ｂ）は、下側電極３２および上側電極３６間に電圧が印加されている時の、バルク３４Ａおよび微粒子３４Ｂの屈折率異方性を示す屈折率楕円体の一例を表したものである。図９（Ｃ）は、下側電極３２および上側電極３６間に電圧が印加されている時の、正面方向に向かう光Ｌ１と、斜め方向に向かう光Ｌ２とが光変調層３４において散乱される様子の一例を模式的表したものである。
【００３５】
バルク３４Ａおよび微粒子３４Ｂは、例えば、図８（Ａ），（Ｂ）に示したように、下側電極３２および上側電極３６間に電圧が印加されていない時に、バルク３４Ａの光軸ＡＸ１および微粒子３４Ｂの光軸ＡＸ２の向きが互いに一致する（平行となる）構成となっている。なお、光軸ＡＸ１，ＡＸ２とは、偏光方向によらず屈折率が一つの値になるような光線の進行方向と平行な線を指している。また、光軸ＡＸ１および光軸ＡＸ２の向きは常に互いに一致している必要はなく、光軸ＡＸ１の向きと光軸ＡＸ２の向きとが、例えば製造誤差などによって多少ずれていてもよい。
【００３６】
また、微粒子３４Ｂは、例えば、下側電極３２および上側電極３６間に電圧が印加されていない時に、光軸ＡＸ２が導光板１０の光入射面１０Ａと平行となる構成となっている。微粒子３４Ｂは、さらに、例えば、下側電極３２および上側電極３６間に電圧が印加されていない時に、光軸ＡＸ２が透明基板３１，３７の表面と僅かな角度θ１（第１角度）で交差する構成となっている（図８（Ｂ）参照）。なお、角度θ１については、微粒子３４Ｂを構成する材料を説明する際に詳述する。
【００３７】
一方、バルク３４Ａは、例えば、下側電極３２および上側電極３６間への電圧印加の有無に拘らず、バルク３４Ａの光軸ＡＸ１が一定となる構成となっている。具体的には、バルク３４Ａは、例えば、図８（Ａ），（Ｂ），図９（Ａ），（Ｂ）に示したように、バルク３４Ａの光軸ＡＸ１が導光板１０の光入射面１０Ａと平行となると共に透明基板３１，３７の表面と所定の角度θ１（第１角度）で交差する構成となっている。つまり、バルク３４Ａの光軸ＡＸ１は、下側電極３２および上側電極３６間に電圧が印加されていない時に、微粒子３４Ｂの光軸ＡＸ２と平行となっている。
【００３８】
なお、光軸ＡＸ２が常に、導光板１０の光入射面１０Ａと平行となると共に透明基板３１，３７の表面と角度θ１で交差している必要はなく、例えば製造誤差などによって透明基板３１，３７の表面と、角度θ１とは若干異なる角度で交差していてもよい。また、光軸ＡＸ１，ＡＸ２が常に導光板１０の光入射面１０Ａと平行となっている必要はなく、例えば製造誤差などによって導光板１０の光入射面１０Ａと、小さな角度で交差していてもよい。
【００３９】
ここで、バルク３４Ａおよび微粒子３４Ｂの常光屈折率が互いに等しく、かつバルク３４Ａおよび微粒子３４Ｂの異常光屈折率が互いに等しいことが好ましい。この場合に、例えば、下側電極３２および上側電極３６間に電圧が印加されていない時には、図８（Ｂ）に示したように、正面方向および斜め方向を含むあらゆる方向において屈折率差がほとんどなく、高い透明性が得られる。これにより、例えば、図８（Ｃ）に示したように、正面方向に向かう光Ｌ１および斜め方向に向かう光Ｌ２は、光変調層３４内で散乱されることなく、光変調層３４を透過する。その結果、例えば、図１０（Ａ），（Ｂ）に示したように、光源２０からの光Ｌ（斜め方向からの光）は、透明領域３０Ａの界面（透明基板３１または導光板１０と空気との界面）において全反射され、透明領域３０Ａの輝度（黒表示の輝度）が、光変調素子３０を設けていない場合（図１０（Ｂ）中の一点鎖線）と比べて下がる。
【００４０】
また、バルク３４Ａおよび微粒子３４Ｂは、例えば、下側電極３２および上側電極３６間に電圧が印加されている時には、図９（Ｂ）に示したように、光軸ＡＸ１および光軸ＡＸ２の向きが互いに異なる（交差する）構成となっている。また、微粒子３４Ｂは、例えば、下側電極３２および上側電極３６間に電圧が印加されている時に、微粒子３４Ｂの光軸ＡＸ２が導光板１０の光入射面１０Ａと平行となると共に透明基板３１，３７の表面と角度θ１よりも大きな角度θ２（第２角度）（例えば９０°）で交差する構成となっている。なお、角度θ２については、微粒子３４Ｂを構成する材料を説明する際に詳述する。
【００４１】
したがって、下側電極３２および上側電極３６間に電圧が印加されている時には、光変調層３４において、正面方向および斜め方向を含むあらゆる方向において屈折率差が大きくなり、高い散乱性が得られる。これにより、例えば、図９（Ｃ）に示したように、正面方向に向かう光Ｌ１および斜め方向に向かう光Ｌ２は、光変調層３４内で散乱される。その結果、例えば、図１０（Ａ），（Ｂ）に示したように、光源２０からの光Ｌ（斜め方向からの光）は、散乱領域３０Ｂの界面（透明基板３１または導光板１０と空気との界面）を透過すると共に、反射板４０側に透過した光は反射板４０で反射され、光変調素子３０を透過する。従って、散乱領域３０Ｂの輝度は、光変調素子３０を設けていない場合（図１０（Ｂ）中の一点鎖線）と比べて極めて高くなり、しかも、透明領域３０Ａの輝度が低下した分だけ、部分的な白表示の輝度（輝度突き上げ）が大きくなる。
【００４２】
なお、バルク３４Ａおよび微粒子３４Ｂの常光屈折率は、例えば製造誤差などによって多少ずれていてもよく、例えば、０．１以下であることが好ましく、０．０５以下であることがより好ましい。また、バルク３４Ａおよび微粒子３４Ｂの異常光屈折率についても、例えば製造誤差などによって多少ずれていてもよく、例えば、０．１以下であることが好ましく、０．０５以下であることがより好ましい。
【００４３】
また、バルク３４Ａの屈折率差（Δｎ0＝異常光屈折率ｎ1−常光屈折率ｎ0）や、微粒子３４Ｂの屈折率差（Δｎ1＝異常光屈折率ｎ3−常光屈折率ｎ2）は、できるだけ大きいことが好ましく、０．０５以上であることが好ましく、０．１以上であることがより好ましく、０．１５以上であることがさらに好ましい。バルク３４Ａおよび微粒子３４Ｂの屈折率差が大きい場合には、光変調層３４の散乱能が高くなり、導光条件を容易に破壊することができ、導光板１０からの光を取り出しやすいからである。
【００４４】
また、バルク３４Ａおよび微粒子３４Ｂは、電場に対する応答速度が互いに異なっている。バルク３４Ａは、例えば、電場に対して応答しない筋状構造もしくは多孔質構造となっているか、または微粒子３４Ｂの応答速度よりも遅い応答速度を有する棒状構造となっている。バルク３４Ａは、例えば、低分子モノマーを重合化することにより得られた高分子材料によって形成されている。バルク３４Ａは、例えば、微粒子３４Ｂの配向方向または配向膜３３，３５の配向方向に沿って配向した、配向性および重合性を有する材料（例えばモノマー）を熱および光の少なくとも一方によって重合させることにより形成されている。
【００４５】
一方、微粒子３４Ｂは、例えば、液晶材料を主に含んで構成されており、バルク３４Ａの応答速度よりも十分に早い応答速度を有している。微粒子３４Ｂ内に含まれる液晶材料（液晶分子）は、例えば棒状分子である。微粒子３４Ｂ内に含まれる液晶分子として、正の屈折率異方性を有するもの（いわゆるポジ型液晶）を用いることが好ましい。
【００４６】
ここで、下側電極３２および上側電極３６間に電圧が印加されていない時には、微粒子３４Ｂ内において、液晶分子の長軸方向は、光軸ＡＸ２と平行となっている。このとき、微粒子３４Ｂ内の液晶分子の長軸は、導光板１０の光入射面１０Ａと平行となると共に透明基板３１，３７の表面と僅かな角度θ１で交差している。この角度θ１は、例えば１°程度の小さな角度であり、いわゆるプレチルト角と呼ばれるものである。つまり、微粒子３４Ｂ内の液晶分子は、下側電極３２および上側電極３６間に電圧が印加されていない時には、導光板１０の光入射面１０Ａと平行な面内において角度θ１だけ傾斜した状態で配向している。
【００４７】
また、下側電極３２および上側電極３６間に電圧が印加されている時には、微粒子３４Ｂ内において、液晶分子の長軸方向は、光軸ＡＸ２と交差（もしくは直交）している。このとき、微粒子３４Ｂ内の液晶分子の長軸は、導光板１０の光入射面１０Ａと平行となると共に透明基板３１，３７の表面と角度θ１よりも大きな角度θ２（例えば９０°）で交差している。つまり、微粒子３４Ｂ内の液晶分子は、下側電極３２および上側電極３６間に電圧が印加されている時には、導光板１０の光入射面１０Ａと平行な面内において角度θ２だけ傾斜した状態もしくは角度θ２（＝９０°）で真っ直ぐ立った状態で配向している。
【００４８】
上記した、配向性および重合性を有するモノマーとしては、光学的に異方性を有しており、かつ液晶と複合する材料であればよいが、本実施の形態では紫外線で硬化する低分子モノマーであることが好ましい。電圧無印加の状態で、液晶と、低分子モノマーを重合化することにより形成されたもの（高分子材料）との光学的異方性の方向が一致していることが好ましいので、紫外線硬化前において、液晶と低分子モノマーが同一方向に配向していることが好ましい。微粒子３４Ｂとして液晶が用いられる場合に、その液晶が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリレート基、メタクリレート基、アクリロイルオキシ基、メタクリロイルオキシ基、ビニルエーテル基およびエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。
【００４９】
駆動回路５０は、例えば、一の光変調セル３０−１において微粒子３４Ｂの光軸ＡＸ２がバルク３４Ａの光軸ＡＸ１と平行もしくはほぼ平行となり、他の光変調セル３０Ｂにおいて微粒子３４Ｂの光軸ＡＸ２がバルク３４Ａの光軸ＡＸ１と交差もしくは直交するように各光変調セル３０Ｂの一対の電極（下側電極３２、上側電極３６）へ印加する電圧の大きさを制御するようになっている。つまり、駆動回路５０は、電場制御によって、バルク３４Ａおよび微粒子３４Ｂの光軸ＡＸ１，ＡＸ２の向きを互いに一致（もしくはほぼ一致）させたり、互いに異ならせたり（もしくは直交させたり）することができるようになっている。
【００５０】
以下に、本実施の形態のバックライト１の製造方法について、図１１（Ａ）〜（Ｃ）から図１３（Ａ）〜（Ｃ）を参照しながら説明する。
【００５１】
まず、ガラス基板またはプラスチックフィルム基板からなる透明基板３１，３７上に、ＩＴＯなどの透明導電膜３２−１，３６−１を形成する（図１１（Ａ））。次に、表面全体にレジスト層を形成したのち、パターニングによりレジスト層に電極パターンを形成する（図１１（Ｂ））。これにより、複数の部分電極３２Ａおよび複数の部分電極３６Ａが形成される。このとき、部分電極３２Ａ，３６Ａのいずれか一方に、パターン密度が光源２０からの距離に応じて異なるパターンが形成される（図示せず）。
【００５２】
パターニングの方法としては、例えば、フォトリソグラフィ法、レーザー加工法、パターン印刷法、スクリーン印刷法などを用いることが可能である。また、例えば、メルク社の“ハイパーエッチ”材料を用いてスクリーン印刷した後に所定の加熱を行い、その後、水洗することでパターニングを行うこともできる。電極パターンは駆動方法および部分駆動の分割数によって決定される。例えば、４２インチサイズのディスプレイを１２×６分割する場合には、電極幅をおよそ８０ｍｍ程度とし、電極間のスリット部分の幅を１０〜５００μｍ程度にする。電極材料としては、ＩＴＯ、ＩＺＯ、ＺｎＯなどを用いることが可能である。下側電極３２、上側電極３６の双方にこれらの材料を用いてもよいし、一方の電極にだけ、これらの材料を用い、他方の電極に反射率の高い金属材料を用いてもよい。
【００５３】
次に、表面全体に配向膜３３，３５を塗布したのち、乾燥させ、焼成する（図１１（Ｃ））。配向膜３３，３５としてポリイミド系材料を用いる場合には、溶媒にＮＭＰ（Ｎ−メチル−２−ピロリドン）を用いることが多いが、そのときには、大気下では２００℃程度の温度が必要である。なお、この場合に、透明基板３１，３７としてプラスチック基板を用いる場合には、配向膜３３，３５を１００℃で真空乾燥させ、焼成することもできる。その後、配向膜３３，３５に対してラビング処理を行う。これにより、配向膜３３，３５が水平配向用の配向膜として機能し、さらに配向膜３３，３５のラビング方向にプレチルトを形成することが可能となる。
【００５４】
次に、配向膜３３上に、セルギャップを形成するためのスペーサ３８を乾式または湿式で散布する（図１２（Ａ））。なお、真空貼り合わせ法にて光変調セル３０−１を作成する場合には、滴下する混合物中にスペーサ３８を混合しておいてもよい。また、スペーサ３８の替わりとして、フォトリソ法によって柱スペーサを形成することもできる。
【００５５】
続いて、配向膜３５上に、貼り合わせおよび液晶の漏れを防止するためのシール剤３９を、例えば額縁状に塗布する（図１２（Ｂ））。このシール剤パターン３９はディスペンサー法やスクリーン印刷法にて形成することができる。
【００５６】
以下に、真空貼り合わせ法（One Drop Fill法、ＯＤＦ法）について説明するが、真空注入法などで光変調セル３０−１を作成することも可能である。
【００５７】
まず、セルギャップ、セル面積などから決まる体積分にあたる液晶とモノマーの混合物４１を面内に均一に滴下する（図１２（Ｃ））。混合物４１の滴下にはリニアガイド方式の精密ディスペンサーを用いることが好ましいが、シール剤パターン３９を土手として利用して、ダイコータなどを用いてもよい。
【００５８】
液晶とモノマーは前述の材料を用いることができるが、液晶とモノマーの重量比は９８：２〜５０：５０、好ましくは９５：５〜７５：２５、より好ましくは９２：８〜８５：１５である。液晶の比率を多くすることで駆動電圧を低くすることができるが、あまり液晶を多くしすぎると電圧印加時の白色度が低下したり、電圧オフ後に応答速度が低下するなど透明時に戻りにくくなったりする傾向がある。
【００５９】
混合物４１には、液晶とモノマーの他には、重合開始剤を添加する。使用する紫外線波長に応じて、添加する重合開始剤のモノマー比を０．１〜１０重量％の範囲内で調整する。混合物４１には、この他に、重合禁止剤や可塑剤、粘度調整剤なども必要に応じて添加可能である。モノマーが室温で固体やゲル状である場合には、口金やシリンジ、基板を加温することが好ましい。
【００６０】
透明基板３１および透明基板３７を真空貼り合わせ機（図示せず）に配置したのち、真空排気し、貼り合わせを行う（図１３（Ａ））。その後、貼り合わせたものを大気に開放し、大気圧での均一加圧によってセルギャップを均一化する。セルギャップは白輝度（白色度）と駆動電圧の関係から適宜選定できるが、５〜４０μｍ、好ましくは６〜２０μｍ、より好ましくは７〜１０μｍである。
【００６１】
貼り合わせ後、必要に応じて配向処理を行うことが好ましい（図示せず）。クロスニコル偏光子の間に、貼り合わせたセルを挿入した際に、配向乱れが生じている場合には、セルをある一定時間加熱処理したり、室温で放置したりして配向させる。その後、紫外線Ｌ３を照射してモノマーを重合させてポリマー化する（図１３（Ｂ））。このようにして、光変調素子３０が製造される。
【００６２】
紫外線を照射している時には、セルの温度が変化しないようにすることが好ましい。赤外線カットフィルターを用いたり、光源にＵＶ−ＬＥＤなどを用いたりすることが好ましい。紫外線照度は複合材料の組織構造に影響を与えるので、使用する液晶材料やモノマー材料、これらの組成から適宜調整することが好ましく、０．１〜５００ｍＷ／ｃｍ2の範囲が好ましく、さらに好ましくは０．５〜３０ｍＷ／ｃｍ2である。紫外線照度が低いほど駆動電圧が低くなる傾向にあり、生産性と特性の両面から好ましい紫外線照度を選定することができる。
【００６３】
そして、導光板１０に光変調素子３０を貼り合わせる。貼り合わせには、粘着、接着のいずれでもよいが、導光板１０の屈折率と光変調素子３０の基板材料の屈折率とにできるだけ近い屈折率の材料で粘着、接着することが好ましい。最後に、下側電極３２および上側電極３６に引き出し線（図示せず）を取り付ける。このようにして、本実施の形態のバックライト１が製造される。
【００６４】
このように、光変調素子３０を作成し、最後に導光板１０に光変調素子３０を貼り合わせるプロセスを説明したが、導光板１０の表面に、配向膜３５を形成した透明基板３７を予め貼り合わせてから、バックライト１を作成することもできる。また、枚葉方式、ロール・ツー・ロール方式のいずれでもバックライト１を作成することができる。
【００６５】
次に、本実施の形態のバックライト１の作用および効果について説明する。
【００６６】
本実施の形態のバックライト１では、例えば、光変調セル３０−１において微粒子３４Ｂの光軸ＡＸ２がバルク３４Ａの光軸ＡＸ１と平行もしくはほぼ平行となり、別の光変調セル３０Ｂにおいて微粒子３４Ｂの光軸ＡＸ２がバルク３４Ａの光軸ＡＸ１と交差もしくは直交するように、各光変調セル３０Ｂの一対の電極（下側電極３２、上側電極３６）に電圧が印加される。これにより、光源２０から射出され、導光板１０内に入射した光は、光変調素子３０のうち、光軸ＡＸ１と光軸ＡＸ２とが互いに平行もしくはほぼ平行となっている透過領域３０Ａを透過する。一方、光源２０から射出され、導光板１０内に入射した光は、光変調素子３０のうち、光軸ＡＸ１と光軸ＡＸ２とが互いに交差もしくは直交している散乱領域３０Ｂにおいて散乱される。この散乱光のうち散乱領域３０Ｂの下面を透過した光は反射板４０で反射され、再度、導光板１０に戻されたのち、バックライト１の上面から射出される。また、散乱光のうち、散乱領域３０Ｂの上面に向かった光は、導光板１０を透過したのち、バックライト１の上面から射出される。このように、本実施の形態では、透明領域３０Ａの上面からは光はほとんど射出されず、散乱領域３０Ｂの上面から光が射出される。このようにして、正面方向の変調比を大きくしている。
【００６７】
一般に、ＰＤＬＣは、液晶材料と等方性の低分子材料とを混合し、紫外線照射や溶媒の乾燥などにより相分離を起こさせることによって形成され、液晶材料の微小粒子が高分子材料中に分散された複合層となっている。この複合層中の液晶材料は、電圧無印加時にはランダムな方向を向いているので散乱性を示すが、電圧印加時には電場方向に配向するので、液晶材料の常光屈折率と高分子材料の屈折率とが互いに等しい場合には、正面方向（ＰＤＬＣの法線方向）において高い透明性を示す。しかし、この液晶材料では、斜め方向においては、液晶材料の異常光屈折率と高分子材料の屈折率との差が顕著となり、正面方向が透明性であっても斜め方向において散乱性が発現してしまう。
【００６８】
通常、ＰＤＬＣを使った光変調素子は、表面に透明導電膜の形成された２枚のガラス板の間にＰＤＬＣを挟み込んだ構造となっていることが多い。上述したような構造を有する光変調素子に対して空気中から斜めに光が入射した場合には、その斜め方向から入射した光は空気とガラス板の屈折率差によって屈折し、より小さな角度でＰＤＬＣに入射することになる。そのため、このような光変調素子においては、大きな散乱は生じない。例えば、空気中から８０°の角度で光が入射した場合には、その光のＰＤＬＣへの入射角はガラス界面での屈折によって４０°程度にまで小さくなる。
【００６９】
しかし、導光板を用いたエッジライト方式では、導光板越しに光が入射するので、光が８０°程度の大きな角度でＰＤＬＣ中を横切ることになる。そのため、液晶材料の異常光屈折率と高分子材料の屈折率との差が大きく、さらに、より大きな角度で光がＰＤＬＣ中を横切るので、散乱を受ける光路も長くなる。例えば、常光屈折率１．５、異常光屈折率１．６５の液晶材料の微小粒子が屈折率１．５の高分子材料中に分散されている場合には、正面方向（ＰＤＬＣの法線方向）においては屈折率差がないが、斜め方向においては屈折率差が大きくなる。このため、斜め方向の散乱性を小さくすることができないので、視野角特性が悪い。さらに、導光板上に拡散フィルムなどの光学フィルムを設けた場合には、斜め漏れ光が拡散フィルムなどによって正面方向にも拡散されるので、正面方向の光漏れが大きくなり、正面方向の変調比が低くなってしまう。
【００７０】
一方、本実施の形態では、バルク３４Ａおよび微粒子３４Ｂが光学異方性材料を主に含んで形成されているので、斜め方向において、散乱性が小さくなり、透明性を向上させることができる。例えば、バルク３４Ａおよび微粒子３４Ｂが、互いに常光屈折率が等しく、かつ互いに異常光屈折率も等しい光学異方性材料を主に含んで構成され、かつ、下側電極３２および上側電極３６間に電圧が印加されていない領域では、これらの光軸の向きが一致もしくはほぼ一致する。これにより、正面方向（光変調素子３０の法線方向）および斜め方向を含むあらゆる方向において屈折率差が少なくなるか、またはなくなり、高い透明性が得られる。その結果、視野角の大きい範囲における光の漏洩を低減またはほとんどなくすることができ、視野角特性を良くすることができる。
【００７１】
例えば、常光屈折率１．５、異常光屈折率１．６５の液晶と、常光屈折率１．５、異常光屈折率１．６５の液晶性モノマーとを混合し、配向膜または電界によって液晶と液晶性モノマーを配向させた状態で液晶性モノマーを重合させると、液晶の光軸と、液晶性モノマーが重合することによって形成されたポリマーの光軸とが互いに一致する。これにより、あらゆる方向で屈折率を一致させることができるので、そのようにした場合には、透明性が高い状態を実現でき、より一層、視野角特性を良くすることができる。
【００７２】
また、本実施の形態では、例えば、図１０（Ａ），（Ｂ）に示したように、透明領域３０Ａの輝度（黒表示の輝度）が、光変調素子３０を設けていない場合（図１０（Ｂ）中の一点鎖線）と比べて下がっている。他方、散乱領域３０Ｂの輝度は、光変調素子３０を設けていない場合（図１０（Ｂ）中の一点鎖線）と比べて極めて高くなり、しかも、透明領域３０Ａの輝度が低下した分だけ、部分的な白表示の輝度（輝度突き上げ）が大きくなる。
【００７３】
ところで、輝度突き上げとは、全面白表示した場合に比べて、部分的に白表示を行った場合の輝度を高くする技術である。ＣＲＴやＰＤＰなどでは一般によく使われている技術である。しかし、液晶ディスプレイでは、バックライトは画像にかかわらず全体に均一発光しているので、部分的に輝度を高くすることはできない。もっとも、バックライトを、複数のＬＥＤを２次元配置したＬＥＤバックライトとした場合には、ＬＥＤを部分的に消灯することは可能である。しかし、そのようにした場合には、ＬＥＤを消灯した暗領域からの拡散光がなくなるので、全てのＬＥＤを点灯した場合と比べて、輝度が低くなってしまう。また、部分的に点灯しているＬＥＤに対して流す電流を大きくすることにより、輝度を増やすことも可能であるが、そのようにした場合には、非常に短時間に大電流が流れるので、回路の負荷や信頼性の点で問題が残る。
【００７４】
一方、本実施の形態では、バルク３４Ａおよび微粒子３４Ｂが光学異方性材料を主に含んで形成されているので、斜め方向の散乱性が抑制され、暗状態での導光板からの漏れ光が少ない。これにより、部分的な暗状態の部分から部分的な明状態の部分に導光するので、バックライト１への投入電力を増やすことなく、輝度突き上げを実現することができる。
【００７５】
また、本実施の形態では、下側電極３２および上側電極３６間に電圧が印加されていない領域において、微粒子３４Ｂの光軸ＡＸ２が、導光板１０の光入射面１０Ａと平行となっており、かつ透明基板３１，３７の表面と僅かな角度θ１で交差している。つまり、微粒子３４Ｂ内に含まれる液晶分子が、光入射面１０Ａと平行な面内において角度θ１だけ傾斜した状態（プレチルト角が付与された状態）で配向している。そのため、下側電極３２および上側電極３６間に電圧が印加された時に、微粒子３４Ｂ内に含まれる液晶材料は、ランダムな方位に立ち上がることはなく、光入射面１０Ａと平行な面内で立ち上がる。このとき、バルク３４Ａおよび微粒子３４Ｂの光軸ＡＸ１，ＡＸ２が、光入射面１０Ａと平行な面内において互いに交差もしくは直交する。従って、下側電極３２および上側電極３６間に電圧が印加された領域において、正面方向（光変調素子３０の法線方向）および斜め方向を含むあらゆる方向において屈折率差が大きくなり、高い散乱性が得られる。その結果、表示輝度を向上させることができる。また、上記の輝度突き上げの効果により、表示輝度をさらに向上させることができる。
【００７６】
従って、本実施の形態では、視野角の大きい範囲における光の漏洩を低減またはほとんどなくしつつ、表示輝度を向上させることができる。その結果、正面方向の変調比を高くすることができる。
【００７７】
また、本実施の形態では、下側電極３２および上側電極３６（部分電極３２Ａ，３６Ａ）の少なくとも一方がパターニングされている。さらに、下側電極３２および上側電極３６（部分電極３２Ａ，３６Ａ）のうちパターニングされた電極のパターン密度が電極全体に関して光源２０からの距離に応じて異なっている。そのため、光射出領域における透明領域および散乱領域の密度分布を所望の分布にすることができる。これにより、バックライト１の光射出領域のうち光源２０側の輝度を、光変調素子３０を設けていない場合よりも低く抑え、かつバックライト１の光射出領域のうち光源２０とは反対側の輝度を、光変調素子３０を設けていない場合よりも高くすることができる。その結果、例えば、図１４（Ｂ）に示したように、バックライト１の光射出領域全体を暗状態とした場合だけでなく、例えば、図１４（Ｃ）に示したように、バックライト１の光射出領域全体を明状態とした場合にも、面内輝度を均一化することができる。従って、例えば、図１４（Ｄ）に示したように、光源２０に近い領域α1と、光源２０から遠い領域α2とにおいて白表示をしたときに、双方の領域の白輝度を等しくすることが可能となる。また、例えば、図１４（Ｄ）に示したように、領域α1とよりも光源２０に近い領域β1と、領域α1と領域α2との間の領域β2と、領域α2よりも光源２０から遠い領域β3とにおいて黒表示をしたときに、これらの領域の黒輝度を等しくすることが可能となる。以上のことから、本実施の形態では、面内輝度を均一化しつつ、変調比を高くすることができる。
【００７８】
＜第２の実施の形態＞
次に、本発明の第２の実施の形態に係るバックライトについて説明する。本実施の形態のバックライトでは、配向膜３３，３５として垂直用配向膜が用いられており、さらに上記実施の形態の光変調層３４を有する光変調素子３０に代わって、光変調層６４を有する光変調素子６０（図示せず）が設けられている点で、上記実施の形態のバックライト１の構成と相違する。そこで、以下では、上記実施の形態の構成との共通点についての説明を適宜、省略し、上記実施の形態の構成との相違点について主に説明する。
【００７９】
上述したように、本実施の形態では、配向膜３３，３５として垂直用配向膜が用いられている。垂直用配向膜としては、シランカップリング材料や、ポリビニルアルコール（ＰＶＡ）、ポリイミド系材料、界面活性剤などを用いることが可能である。例えば、これらの材料を塗布、乾燥した後にラビング処理を行うことにより、ラビング方向にプレチルトが形成される。これにより、垂直用配向膜上の液晶が電圧印加によって傾斜する方向が決定される。また、透明基板３１，３７としてプラスチックフィルムを用いる場合には、製造工程において、透明基板３１，３７の表面に配向膜３３，３５を塗布した後の焼成温度ができるだけ低いことが好ましいことから、配向膜３３，３５としてアルコール系溶媒を使用することの可能なシランカップリング材料を用いることが好ましい。
【００８０】
ただし、配向膜３３，３５として垂直用配向膜を用いるに際しては、微粒子３４Ｂ内に含まれる液晶分子として、負の屈折率異方性を有するもの（いわゆるネガ型液晶）を用いることが好ましい。
【００８１】
次に、本実施の形態の光変調層６４について説明する。光変調層６４は、上記実施の形態と同様、バルク６４Ａ（第２領域）と、バルク６４Ａ内に分散された微粒子状の複数の微粒子６４Ｂ（第１領域）とを含んだ複合層となっている。バルク６４Ａおよび微粒子６４Ｂは光学異方性を有している。
【００８２】
図１５（Ａ）は、下側電極３２および上側電極３６間に電圧が印加されていない時の、微粒子６４Ｂ内の配向状態の一例を模式的に表したものである。なお、図１５（Ａ）において、バルク６４Ａ内の配向状態についての記載を省略した。図１５（Ｂ）は、下側電極３２および上側電極３６間に電圧が印加されていない時の、バルク６４Ａおよび微粒子６４Ｂの屈折率異方性を示す屈折率楕円体の一例を表したものである。図１５（Ｃ）は、下側電極３２および上側電極３６間に電圧が印加されていない時の、正面方向に向かう光Ｌ１と、斜め方向に向かう光Ｌ２とが光変調層６４を透過する様子の一例を模式的表したものである。
【００８３】
図１６（Ａ）は、下側電極３２および上側電極３６間に電圧が印加されている時の、微粒子６４Ｂ内の配向状態の一例を模式的に表したものである。なお、図１６（Ａ）において、バルク６４Ａ内の配向状態についての記載を省略した。図１６（Ｂ）は、下側電極３２および上側電極３６間に電圧が印加されている時の、バルク６４Ａおよび微粒子６４Ｂの屈折率異方性を示す屈折率楕円体の一例を表したものである。図１６（Ｃ）は、下側電極３２および上側電極３６間に電圧が印加されている時の、正面方向に向かう光Ｌ１と、斜め方向に向かう光Ｌ２とが光変調層６４において散乱される様子の一例を模式的表したものである。
【００８４】
バルク６４Ａおよび微粒子６４Ｂは、例えば、図１５（Ａ），（Ｂ）に示したように、下側電極３２および上側電極３６間に電圧が印加されていない時に、バルク６４Ａの光軸ＡＸ３および微粒子６４Ｂの光軸ＡＸ４の向きが互いに一致する（平行となる）構成となっている。なお、光軸ＡＸ３，ＡＸ４とは、偏光方向によらず屈折率が一つの値になるような光線の進行方向と平行な線を指している。また、光軸ＡＸ３および光軸ＡＸ４の向きは常に互いに一致している必要はなく、光軸ＡＸ３の向きと光軸ＡＸ４の向きとが、例えば製造誤差などによって多少ずれていてもよい。
【００８５】
また、微粒子６４Ｂは、例えば、下側電極３２および上側電極３６間に電圧が印加されていない時に、光軸ＡＸ４が導光板１０の光入射面１０Ａと平行となる構成となっている。微粒子６４Ｂは、さらに、例えば、下側電極３２および上側電極３６間に電圧が印加されていない時に、光軸ＡＸ４が透明基板３１，３７の表面と僅かな角度θ３（第３角度）で交差する構成となっている（図１５（Ｂ）参照）。なお、角度θ３については、微粒子６４Ｂを構成する材料を説明する際に詳述する。
【００８６】
一方、バルク６４Ａは、例えば、下側電極３２および上側電極３６間への電圧印加の有無に拘らず、バルク６４Ａの光軸ＡＸ４が一定となる構成となっている。具体的には、バルク６４Ａは、例えば、図１５（Ａ），（Ｂ），図１６（Ａ），（Ｂ）に示したように、バルク６４Ａの光軸ＡＸ３が導光板１０の光入射面１０Ａと平行となると共に透明基板３１，３７の表面と所定の角度θ４（第４角度）で交差する構成となっている。つまり、バルク６４Ａの光軸ＡＸ３は、下側電極３２および上側電極３６間に電圧が印加されていない時に、微粒子６４Ｂの光軸ＡＸ４と平行となっている。
【００８７】
なお、光軸ＡＸ４が常に、導光板１０の光入射面１０Ａと平行となると共に透明基板３１，３７の表面と角度θ３で交差している必要はなく、例えば製造誤差などによって透明基板３１，３７の表面と、角度θ３とは若干異なる角度で交差していてもよい。また、光軸ＡＸ３，ＡＸ４が常に導光板１０の光入射面１０Ａと平行となっている必要はなく、例えば製造誤差などによって導光板１０の光入射面１０Ａと、小さな角度で交差していてもよい。
【００８８】
ここで、バルク６４Ａおよび微粒子６４Ｂの常光屈折率が互いに等しく、かつバルク６４Ａおよび微粒子６４Ｂの異常光屈折率が互いに等しいことが好ましい。この場合に、例えば、下側電極３２および上側電極３６間に電圧が印加されていない時には、図１５（Ｂ）に示したように、正面方向および斜め方向を含むあらゆる方向において屈折率差がほとんどなく、高い透明性が得られる。これにより、例えば、図１５（Ｃ）に示したように、正面方向に向かう光Ｌ１および斜め方向に向かう光Ｌ２は、光変調層６４内で散乱されることなく、光変調層６４を透過する。その結果、上記実施の形態と同様、例えば、図１０（Ａ），（Ｂ）に示したように、光源２０からの光Ｌ（斜め方向からの光）は、透明領域３０Ａの界面（透明基板３１または導光板１０と空気との界面）において全反射され、透明領域３０Ａの輝度（黒表示の輝度）が、光変調素子６０を設けていない場合（図１０（Ｂ）中の一点鎖線）と比べて下がる。
【００８９】
また、バルク６４Ａおよび微粒子６４Ｂは、例えば、下側電極３２および上側電極３６間に電圧が印加されている時には、図１６（Ｂ）に示したように、光軸ＡＸ３および光軸ＡＸ４の向きが互いに異なる（交差する）構成となっている。また、微粒子６４Ｂは、例えば、下側電極３２および上側電極３６間に電圧が印加されている時に、微粒子６４Ｂの光軸ＡＸ４が導光板１０の光入射面１０Ａと平行となると共に透明基板３１，３７の表面と角度θ３よりも大きな角度θ４（第４角度）で交差するか、または透明基板３１，３７の表面と平行となる構成となっている。なお、角度θ４については、微粒子６４Ｂを構成する材料を説明する際に詳述する。
【００９０】
したがって、下側電極３２および上側電極３６間に電圧が印加されている時には、光変調層６４において、正面方向および斜め方向を含むあらゆる方向において屈折率差が大きくなり、高い散乱性が得られる。これにより、例えば、図１６（Ｃ）に示したように、正面方向に向かう光Ｌ１および斜め方向に向かう光Ｌ２は、光変調層６４内で散乱される。その結果、上記実施の形態と同様、例えば、図１０（Ａ），（Ｂ）に示したように、光源２０からの光Ｌ（斜め方向からの光）は、散乱領域３０Ｂの界面（透明基板３１または導光板１０と空気との界面）を透過すると共に、反射板４０側に透過した光は反射板４０で反射され、光変調素子６０を透過する。従って、散乱領域３０Ｂの輝度は、光変調素子６０を設けていない場合（図１０（Ｂ）中の一点鎖線）と比べて極めて高くなり、しかも、透明領域３０Ａの輝度が低下した分だけ、部分的な白表示の輝度（輝度突き上げ）が大きくなる。
【００９１】
なお、バルク６４Ａおよび微粒子６４Ｂの常光屈折率は、例えば製造誤差などによって多少ずれていてもよく、例えば、０．１以下であることが好ましく、０．０５以下であることがより好ましい。また、バルク６４Ａおよび微粒子６４Ｂの異常光屈折率についても、例えば製造誤差などによって多少ずれていてもよく、例えば、０．１以下であることが好ましく、０．０５以下であることがより好ましい。
【００９２】
また、バルク６４Ａの屈折率差（Δｎ0＝異常光屈折率ｎ1−常光屈折率ｎ0）や、微粒子６４Ｂの屈折率差（Δｎ1＝異常光屈折率ｎ3−常光屈折率ｎ2）は、できるだけ大きいことが好ましく、０．０５以上であることが好ましく、０．１以上であることがより好ましく、０．１５以上であることがさらに好ましい。バルク６４Ａおよび微粒子６４Ｂの屈折率差が大きい場合には、光変調層６４の散乱能が高くなり、導光条件を容易に破壊することができ、導光板１０からの光を取り出しやすいからである。
【００９３】
また、バルク６４Ａおよび微粒子６４Ｂは、電場に対する応答速度が互いに異なっている。バルク６４Ａは、例えば、電場に対して応答しない筋状構造もしくは多孔質構造となっているか、または微粒子６４Ｂの応答速度よりも遅い応答速度を有する棒状構造となっている。バルク６４Ａは、例えば、低分子モノマーを重合化することにより得られた高分子材料によって形成されている。バルク６４Ａは、例えば、微粒子６４Ｂの配向方向または配向膜３３，３５の配向方向に沿って配向した、配向性および重合性を有する材料（例えばモノマー）を熱および光の少なくとも一方によって重合させることにより形成されている。
【００９４】
一方、微粒子６４Ｂは、例えば、液晶材料を主に含んで構成されており、バルク６４Ａの応答速度よりも十分に早い応答速度を有している。微粒子６４Ｂ内に含まれる液晶材料（液晶分子）は、例えば棒状分子である。微粒子６４Ｂ内に含まれる液晶分子として、負の屈折率異方性を有するもの（いわゆるネガ型液晶）が用いられている。
【００９５】
ここで、下側電極３２および上側電極３６間に電圧が印加されていない時には、微粒子６４Ｂ内において、液晶分子の長軸方向は、光軸ＡＸ４と平行となっている。このとき、微粒子６４Ｂ内の液晶分子の長軸は、導光板１０の光入射面１０Ａと平行となると共に透明基板３１，３７の法線と僅かな角度θ３で交差している。この角度θ３は、例えば１°程度の小さな角度であり、いわゆるプレチルト角と呼ばれるものである。つまり、微粒子６４Ｂ内の液晶分子は、下側電極３２および上側電極３６間に電圧が印加されていない時には、導光板１０の光入射面１０Ａと平行な面内において角度θ３だけ傾斜した状態で配向している。
【００９６】
また、下側電極３２および上側電極３６間に電圧が印加されている時には、微粒子６４Ｂ内において、液晶分子の長軸方向は、光軸ＡＸ４と交差（もしくは直交）している。このとき、微粒子６４Ｂ内の液晶分子の長軸は、導光板１０の光入射面１０Ａと平行となると共に透明基板３１，３７の法線と角度θ３よりも大きな角度θ４で交差している。つまり、微粒子６４Ｂ内の液晶分子は、下側電極３２および上側電極３６間に電圧が印加されている時には、導光板１０の光入射面１０Ａと平行な面内において角度θ４だけ傾斜した状態もしくは角度θ４（＝９０°）で横に寝た状態で配向している。
【００９７】
上記した、配向性および重合性を有するモノマーとしては、光学的に異方性を有しており、かつ液晶と複合する材料であればよいが、本実施の形態では紫外線で硬化する低分子モノマーであることが好ましい。電圧無印加の状態で、液晶と、低分子モノマーを重合化することにより形成されたもの（高分子材料）との光学的異方性の方向が一致していることが好ましいので、紫外線硬化前において、液晶と低分子モノマーが同一方向に配向していることが好ましい。微粒子６４Ｂとして液晶が用いられる場合に、その液晶が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリレート基、メタクリレート基、アクリロイルオキシ基、メタクリロイルオキシ基、ビニルエーテル基およびエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。
【００９８】
次に、本実施の形態のバックライトの作用および効果について説明する。
【００９９】
本実施の形態のバックライトでは、例えば、光変調セル３０−１において微粒子６４Ｂの光軸ＡＸ４がバルク３４Ａの光軸ＡＸ３と平行もしくはほぼ平行となり、別の光変調セル３０−１において微粒子６４Ｂの光軸ＡＸ４がバルク６４Ａの光軸ＡＸ３と交差もしくは直交するように、各光変調セル３０−１の一対の電極（下側電極３２、上側電極３６）に電圧が印加される。これにより、光源２０から射出され、導光板１０内に入射した光は、光変調素子６０のうち、光軸ＡＸ３と光軸ＡＸ４とが互いに平行もしくはほぼ平行となっている透過領域３０Ａを透過する。一方、光源２０から射出され、導光板１０内に入射した光は、光変調素子６０のうち、光軸ＡＸ３と光軸ＡＸ４とが互いに交差もしくは直交している散乱領域３０Ｂにおいて散乱される。この散乱光のうち散乱領域３０Ｂの下面を透過した光は反射板４０で反射され、再度、導光板１０に戻されたのち、バックライトの上面から射出される。また、散乱光のうち、散乱領域３０Ｂの上面に向かった光は、導光板１０を透過したのち、バックライトの上面から射出される。このように、本実施の形態では、透明領域３０Ａの上面からは光はほとんど射出されず、散乱領域３０Ｂの上面から光が射出される。このようにして、正面方向の変調比を大きくしている。
【０１００】
ところで、本実施の形態では、バルク６４Ａおよび微粒子６４Ｂが光学異方性材料を主に含んで形成されているので、斜め方向において、散乱性が小さくなり、透明性を向上させることができる。例えば、バルク６４Ａおよび微粒子６４Ｂが、互いに常光屈折率が等しく、かつ互いに異常光屈折率も等しい光学異方性材料を主に含んで構成され、かつ、下側電極３２および上側電極３６間に電圧が印加されていない領域では、これらの光軸の向きが一致もしくはほぼ一致する。これにより、正面方向（光変調素子６０の法線方向）および斜め方向を含むあらゆる方向において屈折率差が少なくなるか、またはなくなり、高い透明性が得られる。その結果、視野角の大きい範囲における光の漏洩を低減またはほとんどなくすることができ、視野角特性を良くすることができる。
【０１０１】
例えば、常光屈折率１．５、異常光屈折率１．６５の液晶と、常光屈折率１．５、異常光屈折率１．６５の液晶性モノマーとを混合し、配向膜または電界によって液晶と液晶性モノマーを配向させた状態で液晶性モノマーを重合させると、液晶の光軸と、液晶性モノマーが重合することによって形成されたポリマーの光軸とが互いに一致する。これにより、あらゆる方向で屈折率を一致させることができるので、そのようにした場合には、透明性が高い状態を実現でき、より一層、視野角特性を良くすることができる。
【０１０２】
また、本実施の形態では、例えば、図１０（Ａ），（Ｂ）に示したように、透明領域３０Ａの輝度（黒表示の輝度）が、光変調素子６０を設けていない場合（図１０（Ｂ）中の一点鎖線）と比べて下がっている。他方、散乱領域３０Ｂの輝度は、光変調素子６０を設けていない場合（図１０（Ｂ）中の一点鎖線）と比べて極めて高くなり、しかも、透明領域３０Ａの輝度が低下した分だけ、部分的な白表示の輝度（輝度突き上げ）が大きくなる。これは、バルク６４Ａおよび微粒子６４Ｂが光学異方性材料を主に含んで形成されており、斜め方向の散乱性が抑制され、暗状態での導光板からの漏れ光が少ないからである。従って、部分的な暗状態の部分から部分的な明状態の部分に導光するので、バックライトへの投入電力を増やすことなく、輝度突き上げを実現することができる。
【０１０３】
また、本実施の形態では、下側電極３２および上側電極３６間に電圧が印加されていない領域において、微粒子６４Ｂの光軸ＡＸ４が、導光板１０の光入射面１０Ａと平行となっており、かつ透明基板３１，３７の法線と僅かな角度θ３で交差している。つまり、微粒子６４Ｂ内に含まれる液晶分子が、光入射面１０Ａと平行な面内において角度θ３だけ傾斜した状態（プレチルト角が付与された状態）で配向している。そのため、下側電極３２および上側電極３６間に電圧が印加された時に、微粒子６４Ｂ内に含まれる液晶材料は、ランダムな方位に倒れることはなく、光入射面１０Ａと平行な面内で倒れる。このとき、バルク６４Ａおよび微粒子６４Ｂの光軸ＡＸ３，ＡＸ４が、光入射面１０Ａと平行な面内において互いに交差もしくは直交する。従って、下側電極３２および上側電極３６間に電圧が印加された領域において、正面方向（光変調素子６０の法線方向）および斜め方向を含むあらゆる方向において屈折率差が大きくなり、高い散乱性が得られる。その結果、表示輝度を向上させることができる。また、上記の輝度突き上げの効果により、表示輝度をさらに向上させることができる。
【０１０４】
以上のことから、本実施の形態では、視野角の大きい範囲における光の漏洩を低減またはほとんどなくしつつ、表示輝度を向上させることができる。その結果、正面方向の変調比を高くすることができる。
【０１０５】
また、本実施の形態では、上記第１の実施の形態と同様、下側電極３２および上側電極３６（部分電極３２Ａ，３６Ａ）の少なくとも一方がパターニングされている。さらに、下側電極３２および上側電極３６（部分電極３２Ａ，３６Ａ）のうちパターニングされた電極のパターン密度が電極全体に関して光源２０からの距離に応じて異なっている。そのため、光射出領域における透明領域および散乱領域の密度分布を所望の分布にすることができる。これにより、上記実施の形態と同様、面内輝度を均一化しつつ、変調比を高くすることができる。
【０１０６】
＜第１の変形例＞
上記各実施の形態では、バルク３４Ａ，６４Ａは光学的に異方性を有していたが、光学的に等方性を有していてもよい。この場合、バルク３４Ａ，６４Ａは、等方性の低分子材料を硬化させることによって形成されたものであり、光源２０からの光に対して等方性を示す高分子材料によって形成されている。
【０１０７】
以下では、説明の便宜上、光学的に等方性を有するバルクをバルク７４Ａと称するものとする。また、以下では、本変形例にかかるバルク７４Ａがバルク３４Ａの代わりに用いられている。次に、バルク７４Ａおよび微粒子３４Ｂを含む光変調層７４を備えた光変調素子７０（図示せず）の光学特性について説明する。
【０１０８】
図１７（Ａ）は、下側電極３２および上側電極３６間に電圧が印加されていない時の、微粒子３４Ｂ内の配向状態の一例を模式的に表したものである。なお、バルク７４Ａおよび微粒子３４Ｂは等方性を示しており、配向していない。図１７（Ｂ）は、下側電極３２および上側電極３６間に電圧が印加されていない時の、正面方向に向かう光Ｌ１および斜め方向に向かう光Ｌ２が光変調層７４において散乱される様子の一例を模式的表したものである。
【０１０９】
図１８（Ａ）は、下側電極３２および上側電極３６間に電圧が印加されている時の、微粒子３４Ｂ内の配向状態の一例を模式的に表したものである。なお、バルク７４Ａは、この場合にも等方性を示しており、配向していない。微粒子３４Ｂは、印加電圧方向に配向する。図１７（Ｂ）は、下側電極３２および上側電極３６間に電圧が印加されている時の、正面方向に向かう光Ｌ１および斜め方向に向かう光Ｌ２が光変調層３４を透過する様子の一例を模式的表したものである。
【０１１０】
例えば、下側電極３２および上側電極３６間に電圧が印加されていない時には、微粒子３４Ｂの光軸はランダムな方向を向いており、微粒子３４Ｂ全体としては光学的に等方性を示す。また、例えば、下側電極３２および上側電極３６間に電圧が印加されている時には、微粒子３４Ｂの光軸は、導光板１０の光入射面１０Ａと平行となっており、かつ透明基板３１，３７の表面と直交している。一方、バルク７４Ａは、例えば、下側電極３２および上側電極３６間への電圧印加の有無に拘らず、等方性を示す。
【０１１１】
バルク７４Ａの屈折率と、微粒子３４Ｂの常光屈折率とが互いに等しくなっているか、または、おおむね等しくなっている。バルク７４Ａの屈折率と、微粒子３４Ｂの異常光屈折率とが互いに異なっている。また、バルク７４Ａの屈折率と、微粒子３４Ｂが光学的に等方性を示しているときの屈折率とが互いに異なっている。
【０１１２】
下側電極３２および上側電極３６間に電圧が印加されている時には、透明基板３１，３７の表面と直交する方向において、バルク７４Ａと微粒子３４Ｂとの屈折率差がほとんどなく、透明基板３１，３７の表面と平行な方向において、バルク７４Ａと微粒子３４Ｂとの屈折率差が大きくなっている。これにより、図１８（Ｂ）に示したように、透明基板３１，３７の表面と直交する方向において高い透明性が得られ、透明基板３１，３７の表面と平行な方向において高い散乱性が得られる。その結果、例えば、図１０（Ａ），（Ｂ）に示したように、光源２０からの光Ｌ（斜め方向からの光）が、透明領域３０Ａの界面（透明基板３１または導光板１０と空気との界面）において全反射され、透明領域３０Ａの輝度（黒表示の輝度）が、光変調素子７０を設けていない場合（図１０（Ｂ）中の一点鎖線）と比べて下がる。従って、視野角の大きい範囲における光の漏洩を低減またはほとんどなくすることができ、視野角特性を良くすることができる。
【０１１３】
一方、下側電極３２および上側電極３６間に電圧が印加されていない時には、あらゆる方向において、バルク７４Ａと微粒子３４Ｂとの屈折率差が大きくなる。これにより、図１７（Ｂ）に示したように、高い散乱性が得られる。その結果、例えば、図１０（Ａ），（Ｂ）に示したように、光源２０からの光Ｌ（斜め方向からの光）は、散乱領域３０Ｂの界面（透明基板３１または導光板１０と空気との界面）を透過すると共に、反射板４０側に透過した光は反射板４０で反射され、光変調素子７０を透過する。従って、散乱領域３０Ｂの輝度は、光変調素子７０を設けていない場合（図１０（Ｂ）中の一点鎖線）と比べて極めて高くなり、しかも、透明領域３０Ａの輝度が低下した分だけ、部分的な白表示の輝度（輝度突き上げ）が大きくなる。
【０１１４】
従って、本変形例では、視野角の大きい範囲における光の漏洩を低減またはほとんどなくしつつ、表示輝度を向上させることができる。その結果、正面方向の変調比を高くすることができる。
【０１１５】
また、本変形例では、上記第１の実施の形態と同様、下側電極３２および上側電極３６（部分電極３２Ａ，３６Ａ）の少なくとも一方がパターニングされている。さらに、下側電極３２および上側電極３６（部分電極３２Ａ，３６Ａ）のうちパターニングされた電極のパターン密度が光源２０からの距離に応じて異なっている。
【０１１６】
部分電極３６Ａがパターニングされている場合には、例えば、図示しないが、部分電極３６Ａに設けられた複数の開口３６Ｂの密度が、光源２０からの距離に応じて異なっている。例えば、開口３６Ｂの径ｒ1が、光源２０からの距離に拘わらず一定（ｒ1＝ａ1）となっており、単位面積当たりの開口３６Ｂの数が、光源２０からの距離が遠くなるにつれて多くなっている。また、例えば、単位面積当たりの開口３６Ｂの数が、光源２０からの距離に拘わらず一定となっており、開口３６Ｂの径ｒ1が、光源２０からの距離が遠くなるにつれて大きくなっている。従って、上記のいずれの例においても、開口３６Ｂの密度（単位面積当たりの開口３６Ｂの占有率）が、光源２０からの距離が遠くなるにつれて密になっている（大きくなっている）。言い換えると、上側電極３６のパターン密度（上側電極３６のうち開口３６Ｂ以外の部分の単位面積当たりの占有率）が、光源２０からの距離が遠くなるにつれて疎になっている（小さくなっている）。
【０１１７】
部分電極３２Ａがパターニングされている場合には、例えば、図示しないが、部分電極３２Ａに設けられた複数の開口３２Ｂの密度が、下側電極３２全体に関して光源２０からの距離に応じて異なっている。例えば、開口３２Ｂの径ｒ2が、光源２０からの距離に拘わらず一定（ｒ2＝ａ4）となっており、単位面積当たりの開口３２Ｂの数が、光源２０からの距離が遠くなるにつれて多くなっている。また、例えば、単位面積当たりの開口３２Ｂの数が、光源２０からの距離に拘わらず一定となっており、開口３２Ｂの径ｒ2が、光源２０からの距離が遠くなるにつれて大きくなっている。従って、上記のいずれの例においても、開口３２Ｂの密度（単位面積当たりの開口３２Ｂの占有率）が、光源２０からの距離が遠くなるにつれて密になっている（大きくなっている）。言い換えると、下側電極３２のパターン密度（下側電極３２のうち開口３２Ｂ以外の部分の単位面積当たりの占有率）が、光源２０からの距離が遠くなるにつれて疎になっている（小さくなっている）。
【０１１８】
以上のことから、本変形例では、光射出領域における透明領域および散乱領域の密度分布を所望の分布にすることができる。これにより、上記実施の形態と同様、面内輝度を均一化しつつ、変調比を高くすることができる。
【０１１９】
＜第２の変形例＞
上記各実施の形態では、光変調素子３０，６０，７０は、導光板１０の背後（下面）に空気層を介さずに密着して接合されていたが、例えば、図１９に示したように、導光板１０の上面に空気層を介さずに密着して接合されていてもよい。また、光変調素子３０，６０，７０は、例えば、図２０に示したように、導光板１０の内部に設けられていてもよい。ただし、この場合でも、光変調素子３０，６０，７０は、導光板１０と空気層を介さずに密着して接合されていることが必要である。
【０１２０】
＜第３の変形例＞
上記各実施の形態およびそれらの変形例では、導光板１０の上に特に何も設けられていなかったが、例えば、図２１に示したように、光学シート８０（例えば、拡散板、拡散シート、レンズフィルム、偏光分離シートなど）を設けてもよい。このようにした場合には、導光板１０から斜め方向に射出した光の一部が正面方向に立ち上がるので、変調比を効果的に向上させることができる。
【０１２１】
＜第４の変形例＞
上記各実施の形態およびそれらの変形例では、下側電極３２および上側電極３６（部分電極３２Ａ，３６Ａ）のうちパターニングされた電極のパターン密度が電極全体に関して光源２０からの距離に応じて異なっていたが、下側電極３２および上側電極３６が互いに対向する部分（ブロック）ごとに、光源２０からの距離に応じて異なっていてもよい。
【０１２２】
部分電極３６Ａがパターニングされている場合には、例えば、図２２（Ａ），（Ｂ）に示したように、部分電極３６Ａに設けられた複数の開口３６Ｂの密度が、下側電極３２と対向する部分（ブロック３６Ｃ）ごとに、光源２０からの距離に応じて異なっている。図２２（Ａ）に示した例では、開口３６Ｂの径ｒ1は、光源２０からの距離に拘わらず一定（ｒ1＝ａ1）となっており、単位面積当たりの開口３６Ｂの数が、ブロック３６Ｃごとに、光源２０からの距離が遠くなるにつれて少なくなっている。また、図２２（Ｂ）に示した例では、単位面積当たりの開口３６Ｂの数は、光源２０からの距離に拘わらず一定となっており、開口３６Ｂの径ｒ1が、ブロック３６Ｃごとに、光源２０からの距離が遠くなるにつれて小さくなっている。なお、図２２（Ｂ）には、各ブロック３６Ｃにおいて、光源２０近傍の径ｒ1がａ2となっており、光源２０から最も離れたところの径ｒ1がａ3（＜ａ2）となっている場合が例示されている。従って、図２２（Ａ），（Ｂ）のいずれの例においても、開口３６Ｂの密度（単位面積当たりの開口３６Ｂの占有率）が、ブロック３６Ｃごとに、光源２０からの距離が遠くなるにつれて疎になっている（小さくなっている）。
【０１２３】
部分電極３２Ａがパターニングされている場合には、例えば、図２３（Ａ），（Ｂ）に示したように、部分電極３２Ａに設けられた複数の開口３２Ｂの密度が、上側電極３６と対向する部分（ブロック３２Ｃ）ごとに、光源２０からの距離に応じて異なっている。図２３（Ａ）に示した例では、開口３２Ｂの径ｒ2は、光源２０からの距離に拘わらず一定（ｒ2＝ａ4）となっており、単位面積当たりの開口３２Ｂの数が、ブロック３２Ｃごとに、光源２０からの距離が遠くなるにつれて少なくなっている。また、図２３（Ｂ）に示した例では、単位面積当たりの開口３２Ｂの数は、光源２０からの距離に拘わらず一定となっており、開口３２Ｂの径ｒ2が、ブロック３２Ｃごとに、光源２０からの距離が遠くなるにつれて小さくなっている。なお、図２３（Ｂ）には、各ブロック３２Ｃにおいて、光源２０近傍の径ｒ2がａ5となっており、光源２０から最も離れたところの径ｒ2がａ6（＜ａ5）となっている場合が例示されている。従って、図２３（Ａ），（Ｂ）のいずれの例においても、開口３２Ｂの密度（単位面積当たりの開口３２Ｂの占有率）が、ブロック３２Ｃごとに、光源２０からの距離が遠くなるにつれて疎になっている（小さくなっている）。
【０１２４】
本変形例では、駆動回路５０は、各ブロック３２Ｃ，３６Ｃに対応する複数の光変調セル３０−１に対して、光源２０からの距離に応じた波高値の電圧を印加するようになっている。具体的には、駆動回路５０は、複数の光変調セル３０−１に対して、光源２０からの距離が遠くなるにつれて波高値の大きな電圧を印加するようになっている。つまり、本変形例では、導光板１０からの光取り出し効率が、下側電極３２および上側電極３６（部分電極３２Ａ，３６Ａ）のうちパターニングされた電極のパターン密度の大きさと、光変調セル３０−１に対して印加する電圧の大きさとによって制御される。これにより、表示領域の一部分だけが白輝度となるような画像を表示した場合に、その白輝度となる部分が光源２０に近いときと、光源２０から遠いときとで、白輝度の大きさに差が生じる虞をなくすることができる。その結果、表示領域内の白輝度の位置に依らず白輝度の大きさを一定にすることができるので、表示領域全体において変調比を高くすることができる。
【０１２５】
＜駆動方法＞
次に、上記各実施の形態およびその変形例に係るバックライトの駆動方法について説明する。
【０１２６】
下側電極３２および上側電極３６が、例えば、帯状の部分電極３２Ａ，３６Ａを並列配置したものとなっている場合（図２、図２４）には、例えば、各部分電極３２Ａ，３６Ａを単純マトリクス駆動することが可能である。なお、図２４には、部分電極３６Ａが部分電極３２Ａの延在方向と平行な方向に延在している場合が例示されている。また、下側電極３２および上側電極３６のうち一方がベタ膜となっており、他方の電極が帯状の部分電極を並列配置したものとなっている場合（図２５）には、例えば、各帯状の部分電極を配列方向に駆動することが可能である。また、上側電極３６をなくして下側電極３２だけにした上で、下側電極３２が帯状の部分電極３２Ａを並列配置したものとなっている場合（図２６）には、例えば、互いに隣接する２つの部分電極３２Ａに対して電位差を与えることが可能である。そのようにした場合には、光変調層３４，６４内に面内電界が発生するので、その面内電界によって微粒子３４Ｂ，６４Ｂ内の液晶分子の配向方向を制御することが可能である。また、下側電極３２および上側電極３６のうち一方がベタ膜となっており、他方が細かな引出線がついたブロック状となっている場合（図２７）には、例えば、それぞれの分割ブロックを独立して駆動することが可能である。なお、図２４〜図２７には、各電極に対してパターニングが施されていない場合が例示されているが、実際には、上記各実施の形態およびその変形例において記載されているようなパターニングが施されている。
【０１２７】
上述したような各種駆動方法において、バックライトの面内輝度を均一化したり、部分的な白表示の輝度（輝度突き上げ）をバックライトの面内で一定化したりする場合に、各光変調セル３０−１から出力される光の輝度の調整方法としては、以下の２つの方法が考えられる。
（１）光変調セル３０−１に対して印加する電圧の振幅、パルス幅または周波数を、光変調セル３０−１ごとに設定する方法
（２）（１）に記載の方法を実行するとともに、光源２０に流す電流の振幅、パルス幅または周波数を、経時的に設定する駆動方法
【０１２８】
[（１）の調整方法]
図２８は、光変調セル３０−１ごとに発光輝度が異なっている様子を模式的に表したものである。図２８には、１２個の光変調セル３０−１が４×３で配列されている場合が例示されている。図２９は、図２８における１行目のラインに含まれる３つの光変調セル３０−１に対して印加される電圧ＶA，ＶB，ＶCの波形の一例を表したものである。図２９（Ａ）には、光変調セル３０−１ごとに電圧ＶA，ＶB，ＶCの振幅を設定する振幅変調が例示されている。図２９（Ｂ）には、光変調セル３０−１ごとに電圧ＶA，ＶB，ＶCのデューティー比を設定するパルス幅変調が例示されている。図２９（Ｃ）には、光変調セル３０−１ごとに電圧ＶA，ＶB，ＶCの周波数を設定する周波数変調が例示されている。
【０１２９】
図２９（Ａ）に示した振幅変調では、時間的な散乱状態の変化がないので、フリッカーなどが出にくい。図２９（Ａ）から、光変調セル３０−１に印加する電圧ＶA，ＶB，ＶCの振幅を大きくするほど、輝度が大きくなることがわかる。
【０１３０】
図２９（Ｂ）に示したパルス幅変調は、散乱状態と非散乱状態との間の状態（中間状態）がないので、輝度プロファイルが保存され、輝度を変化させても色度を保持することができる。図２９（Ｂ）から、光変調セル３０−１に印加する電圧ＶA，ＶB，ＶCのデューティー比を大きくするほど、輝度が大きくなることがわかる。
【０１３１】
図２９（Ｃ）に示した周波数変調では、電圧パルスの周波数に応じて、光変調セル３０−１に印加される実効電圧が決まるので、フリッカーが若干生じやすい。図２９（Ｃ）から、光変調セル３０−１に印加する電圧ＶA，ＶB，ＶCの周波数を低くするほど、輝度が大きくなることがわかる。
【０１３２】
図３０は、各光変調セル３０−１の発光輝度が互いに等しくなっている様子を模式的に表したものである。例えば、図３１（Ａ）に示したように、光源２０からの距離が遠くなるほど、光変調セル３０−１に印加する電圧ＶA，ＶB，ＶCの振幅を大きくすることにより、面内の輝度を均一化することができることがわかる。また、例えば、図３１（Ｂ）に示したように、光源２０からの距離が遠くなるほど、光変調セル３０−１に印加する電圧ＶA，ＶB，ＶCのデューティー比を大きくすることにより、面内の輝度を均一化することができることがわかる。
【０１３３】
図３２は、電圧ＶA，ＶB，ＶCのデューティー比を全て１００％としたときの輝度分布、電圧ＶAのデューティー比を３２％、電圧ＶBのデューティー比を５２％、電圧ＶCのデューティー比を１００％としたときの輝度分布と、電圧ＶA，ＶB，ＶCが０ボルトとなっているときの輝度分布とを表したものである。駆動条件をまとめたものを図３３に示す。図３２中に「電圧一定」と記載された分布が、電圧ＶA，ＶB，ＶCのデューティー比を全て１００％としたときの輝度分布に対応する。図３２中に「電圧変調」と記載された分布が、電圧ＶA，ＶB，ＶCのデューティー比を互いに異ならせたときの輝度分布に対応する。図３２中に「未点灯」と記載された分布が、電圧ＶA，ＶB，ＶCが０ボルトとなっているときの輝度分布に対応する。
【０１３４】
図３２から、全ての光変調セル３０−１に同一電圧を印加すると、面内輝度が光源２０側で極端に高くなってしまうことがわかる。また、図３２から、光変調セル３０−１に印加する電圧ＶA，ＶB，ＶCのデューティー比を適宜調整することにより、面内の輝度分布を均一化することができることがわかる。
【０１３５】
図３４は、互いに隣接する２つの光変調セル３０−１において、一方の光変調セル３０−１が最大輝度で発光し、他方の光変調セル３０−１が最低輝度で発光している様子を模式的に表したものである。以下、最大輝度で発光している状態を「白状態」と称し、最低輝度で発光している状態を「黒状態」と称する。
【０１３６】
４行目のラインにおいて、左端の光変調セル３０−１に対して、例えば１４０Ｖｐｐを印加し、残りの２つの光変調セル３０−１に対して、例えば０Ｖｐｐを印加したとする。すると、光源２０から４行目のラインに出力された光は、左端の光変調セル３０−１から主に出力されることになる。このときの輝度は、理論的には、１行目のラインから出力される光の輝度の３倍になる（１行目のライン全体を同時に発光している場合）。一方で、２行目のラインにおいて、右端の光変調セル３０−１に対して、例えば１４０Ｖｐｐを印加し、残りの２つの光変調セル３０−１に対して、例えば０Ｖｐｐを印加したとする。このとき、光源２０から２行目のラインに出力された光は、右端の光変調セル３０−１から主に出力されることになるが、その輝度は、４行目のラインの輝度よりも低くなる。それは、光源２０から２行目のラインに出力された光が、右端の光変調セル３０−１に到達する前に、黒状態の２つの光変調セル３０−１において吸収されたり、散乱されたりするからである。以上のことから、光変調セル３０−１に印加する電圧値が同じであっても、光変調セル３０−１の、光源２０からの距離や、光源２０からの光が到達するまでの間にある光変調セル３０−１の発光状態（白状態、黒状態など）によって、発光輝度が異なることがわかる。
【０１３７】
図３５に、中央の光変調セル３０−１だけ発光させたときの輝度分布と、１ライン全体を発光させたときの輝度分布を示す。駆動条件をまとめたものを図３６に示す。図３５から、中央の光変調セル３０−１だけ発光させることにより、中央の光変調セル３０−１の輝度が、１ライン全体を発光させたときの輝度の約２．２倍も高くなっていることがわかる。
【０１３８】
図３７は、光変調セル３０−１ごとに発光輝度が異なっている様子を模式的に表したものである。１行目のラインにおいて、両端の光変調セル３０−１に対して、例えば１４０Ｖｐｐを印加し、残りの光変調セル３０−１に対して、例えば０Ｖｐｐを印加したとする。すると、図３７の右上のグラフに示したように、左端の光変調セル３０−１の輝度が、右端の光変調セル３０−１の輝度よりも高くなる。また、例えば、１行目のラインにおいて、右端の光変調セル３０−１に対して、例えば１４０Ｖｐｐを印加し、左端の光変調セル３０−１に対して、右端の光変調セル３０−１に印加した電圧値よりも小さな電圧値（例えば１２０Ｖｐｐ）の電圧を印加したとする。すると、図３７の右中央のグラフに示したように、左端の光変調セル３０−１の輝度と、右端の光変調セル３０−１の輝度とが互いに等しくなる。
【０１３９】
以上のことから、１ライン全てを同時に発光させる場合には、（１）発光対象の光変調セル３０−１の設定輝度と、（２）発光対象の光変調セル３０−１と光源２０との間にある光変調セル３０−１の発光輝度と、（３）発光対象の光変調セル３０−１の、光源２０からの距離とに応じて、光変調セル３０−１に印加する電圧値を調整することにより、面内の特定の複数の光変調セル３０−１の発光輝度を互いに等しくすることが可能であるといえる。また、１ラインに含まれる各光変調セル３０−１を時分割で発光させる場合には、（１）発光対象の光変調セル３０−１の設定輝度と、（２）発光対象の光変調セル３０−１の、光源２０からの距離とに応じて、光変調セル３０−１に印加する電圧値を調整することにより、面内の特定の複数の光変調セル３０−１の発光輝度を互いに等しくすることが可能であるといえる。
【０１４０】
[（２）の調整方法]
図３８は、光源２０が光変調セル３０−１の各ラインに対応して分割されている様子を模式的に表したものである。光源２０は、例えば、図３８に示したように、光変調セル３０−１の各ラインに対応して光源ブロック２０Ａ〜２０Ｄを備えている。各光源ブロック２０Ａ〜２０Ｄは、互いに独立して駆動する（光を出力する）ことが可能となっている。例えば、図３８に示したように、黒状態の２つの光変調セル３０−１を除く全ての光変調セル３０−１の輝度を均一化したい場合、その方法として、上述したように、光変調セル３０−１に対して印加する電圧の振幅、パルス幅または周波数を、光変調セル３０−１ごとに設定するだけでなく、光源２０に流す電流を同期させ、電流もしくは電圧の振幅、パルス幅または周波数を、経時的に設定することが考えられる。以下では、光源２０に流す電流の振幅を、経時的に設定した場合について詳細に説明する。
【０１４１】
図３９は、１行目のラインに含まれる３つの光変調セル３０−１に対して印加する電圧波形の一例と、１行目のラインに対応する光源ブロック２０Ａに対して印加する電流波形の一例とを表したものである。１行目のラインに含まれる全ての光変調セル３０−１に対して印加する電圧パルスの波高値は、互いに等しくなっているが、各光変調セル３０−１に対して電圧パルスを印加するタイミング（期間ＴA，ＴB，ＴC）が互いに異なっている。例えば、図３９（Ａ）に示したように、光源２０側から順に電圧パルスを印加する。つまり、１ラインに含まれる各光変調セル３０−１が時分割で発光する。このとき、１行目のラインに対応する光源ブロック２０Ａに印加される電流の大きさが、期間ＴA，ＴB，ＴCごとに異なっている。例えば、図３９（Ａ），（Ｂ）に示したように、１行目のラインに含まれる３つの光変調セル３０−１に対して、光源２０側から順に電圧パルスが印加される場合には、最初の期間ＴAに印加される電流値をＩ1、次の期間ＴBに印加される電流値をＩ2、最後の期間ＴCに印加される電流値をＩ3とすると、Ｉ1，Ｉ2，Ｉ3が以下の関係式を満たすように、１行目のラインに対応する光源ブロック２０Ａに電流を経時的に変化させながら印加する。
Ｉ1＜Ｉ2＜Ｉ3
【０１４２】
図４０は、３行目のラインに含まれる３つの光変調セル３０−１に対して印加する電圧波形の一例と、３行目のラインに対応する光源ブロック２０Ｃに対して印加する電流波形の一例とを表したものである。３行目のラインに含まれる全ての光変調セル３０−１に対して印加する電圧パルスの波高値は、中央の光変調セル３０−１を除いて、互いに等しくなっている。また、３行目のラインに含まれる各光変調セル３０−１に対して電圧パルスを印加するタイミング（期間ＴA，ＴB，ＴC）は互いに異なっている。例えば、図４０（Ａ）に示したように、光源２０側から順に電圧パルスを印加する。つまり、１ラインに含まれる各光変調セル３０−１が時分割で発光する。このとき、３行目のラインに対応する光源ブロック２０Ｃに印加される電流の大きさが、期間ＴA，ＴB，ＴCごとに異なっている。例えば、図４０（Ａ），（Ｂ）に示したように、３行目のラインに含まれる３つの光変調セル３０−１に対して、光源２０側から順に電圧パルスが印加される場合には、最初の期間ＴAに印加される電流値をＩ4、次の期間ＴBに印加される電流値をＩ5、最後の期間ＴCに印加される電流値をＩ6とすると、Ｉ4，Ｉ5，Ｉ6が以下の関係式を満たすように、３行目のラインに対応する光源ブロック２０Ｃに電流を経時的に変化させながら印加する。
Ｉ4＜Ｉ6
Ｉ5＝０Ａ、または黒状態を維持できる程度の電流値
【０１４３】
以上のことから、各光源ブロック２０Ｃに印加する電流値は、（１）発光対象の光変調セル３０−１の設定輝度と、（２）発光対象の光変調セル３０−１の、光源２０からの距離とに応じて調整される。なお、発光対象の光変調セル３０−１と、光源２０との間にある光変調セル３０−１の発光状態は、常に黒状態である。従って、（１）発光対象の光変調セル３０−１の設定輝度と、（２）発光対象の光変調セル３０−１の、光源２０からの距離とに応じて、光源ブロック２０Ｃに印加する電流値を調整することにより、面内の特定の複数の光変調セル３０−１の発光輝度を互いに等しくすることができる。
【０１４４】
また、図３９、図４０に示したように、１ラインに含まれる複数の光変調セル３０−１を時分割で駆動することにより、各光変調セル３０−１の黒挿入時間を互いに等しくすることができる。これにより、例えば白黒状態の色度が異なる場合でも、色ずれを小さく抑えることができる。
【０１４５】
なお、（１）の調整方法および（２）の調整方法において、発光対象の光変調セル３０−１の輝度を例えば映像信号に応じて変化させてもよい。この場合には、例えば、図４１に示したように、光変調素子３０，６０および光源２０を駆動する駆動回路５０に対して映像信号５０Ａを入力するようにすればよい。また、互いに隣接する２つの光変調セル３０−１において、発光輝度が大きく異なり、バックライト上にディスプレイパネルを載せたとしても、バックライトの輝度の変化がくっきりと見えてしまう場合には、例えば、発光輝度の相対的に低い方の光変調セル３０−１がわずかに明るくなる（散乱性がわずかに大きくなる）ように、（１）の調整方法、または（１）および（２）の調整方法において印加電圧などを調整するようにしてもよい。また、例えば、発光輝度の相対的に高い方の光変調セル３０−１がわずかに暗くなる（散乱性がわずかに小さくなる）ように、（１）の調整方法、または（１）および（２）の調整方法において印加電圧などを調整するようにしてもよい。
【０１４６】
なお、バックライト全体の輝度を、光変調セル３０−１に印加する電圧パルスで制御するようにしてもよいが、光源２０に印加する電流パルスで制御するようにしてもよい。例えば、図４２に示したようにバックライト全体を明状態にしたのち、図４３に示したようにバックライト全体をやや暗い状態にする際には、光源２０に印加する電流パルスの波高値を変化させてもよいし（図４４（Ａ））、光源２０に印加する電流パルスのデューティー比を変化させてもよい（図４４（Ｂ））。
【０１４７】
液晶の駆動では、液晶素子に電圧を印加してから立ち上がるまで、数ｍｓ程度の応答遅れが生じる。この応答遅れを低減させるため、液晶立ち上げ時に高出力な短パルス電圧を入力するオーバードライブと呼ばれる駆動方法を適用することもできるが、その応答速度は最短でも数百μｓ程度に留まる。一方、ＬＥＤの電流変調では、応答遅れの原因が電気抵抗による遅れおよび蛍光励起時間に限られるので、液晶の応答速度に依存しないｎｓオーダーの高速応答が可能となる。従って、光源２０としてＬＥＤを用いた場合には、バックライト全体の輝度を高速で変調することが可能となる。
【０１４８】
＜適用例＞
次に、上記各実施の形態およびそれらの変形例に係るバックライトの一適用例について説明する。
【０１４９】
図４５は、本適用例にかかる表示装置２の概略構成の一例を表したものである。この表示装置２は、液晶表示パネル９０（表示パネル）と、液晶表示パネル９０の背後に配置されたバックライト１と、バックライト１を駆動する駆動回路５０と、液晶表示パネル９０を駆動する駆動回路（図示せず）とを備えている。なお、表示装置２に搭載されるバックライトとして、第１の実施の形態のバックライト、第２の実施の形態のバックライトのいずれも用いることが可能である。
【０１５０】
液晶表示パネル９０は、マトリクス状に配置された複数の画素を有しており、複数の画素が画像信号に基づいて駆動されることにより、映像を表示するものである。この液晶表示パネル９０は、例えば、映像信号に応じて各画素が駆動される透過型の表示パネルであり、液晶層を一対の透明基板で挟み込んだ構造となっている。具体的には、液晶表示パネル９０は、バックライト１側から順に、偏光子、透明基板、画素電極、配向膜、液晶層、配向膜、共通電極、カラーフィルタ、透明基板および偏光子を有している。
【０１５１】
透明基板は、可視光に対して透明な基板、例えば板ガラスからなる。なお、バックライト１側の透明基板には、図示しないが、画素電極に電気的に接続されたＴＦＴ（Thin Film Transistor；薄膜トランジスタ）および配線などを含むアクティブ型の駆動回路が形成されている。画素電極および共通電極は、例えばＩＴＯからなる。画素電極は、透明基板上に格子配列またはデルタ配列されたものであり、画素ごとの電極として機能する。他方、共通電極は、カラーフィルタ上に一面に形成されたものであり、各画素電極に対して対向する共通電極として機能する。配向膜は、例えばポリイミドなどの高分子材料からなり、液晶に対して配向処理を行う。液晶層は、例えば、ＶＡ（Vertical Alignment）モード、ＴＮ（Twisted Nematic）モードまたはＳＴＮ（Super Twisted Nematic）モードの液晶からなり、駆動回路（図示せず）からの印加電圧により、バックライト１からの射出光の偏光軸の向きを画素ごとに変える機能を有する。なお、液晶の配列を多段階で変えることにより画素ごとの透過軸の向きが多段階で調整される。カラーフィルタは、液晶層を透過してきた光を、例えば、赤（Ｒ）、緑（Ｇ）および青（Ｂ）の三原色にそれぞれ色分離したり、または、Ｒ、Ｇ、Ｂおよび白（Ｗ）などの四色にそれぞれ色分離したりするカラーフィルタを、画素電極の配列と対応させて配列したものである。フィルタ配列（画素配列）としては、一般的に、ストライプ配列や、ダイアゴナル配列、デルタ配列、レクタングル配列のようなものがある。
【０１５２】
偏光子は、光学シャッタの一種であり、ある一定の振動方向の光（偏光）のみを通過させる。なお、偏光子は、透過軸以外の振動方向の光（偏光）を吸収する吸収型の偏光素子であってもよいが、バックライト１側に反射する反射型の偏光素子であることが輝度向上の観点から好ましい。偏光子はそれぞれ、偏光軸が互いに９０度異なるように配置されており、これによりバックライト１からの射出光が液晶層を介して透過し、あるいは遮断されるようになっている。
【０１５３】
駆動回路５０は、各光変調セル３０−１の一対の電極（下側電極３２、上側電極３６）へ印加する電圧の大きさを制御するようになっている。駆動回路５０は、例えば、複数の光変調セル３０−１のうち黒表示の画素位置に対応するセルにおいて微粒子３４Ｂの光軸ＡＸ２がバルク３４Ａの光軸ＡＸ１と平行となり、複数の光変調セル３０−１のうち白表示の画素位置に対応するセルにおいて微粒子３４Ｂの光軸ＡＸ２がバルク３４Ａの光軸ＡＸ１と交差するように各光変調セル３０−１の一対の電極（下側電極３２、上側電極３６）へ印加する電圧の大きさを制御するようになっている。
【０１５４】
本適用例では、液晶表示パネル９０を照明する光源として、上記実施の形態のバックライト１が用いられている。これにより、視野角の大きい範囲における光の漏洩を低減またはほとんどなくしつつ、表示輝度を向上させることができる。その結果、正面方向の変調比を高くすることができる。また、バックライト１への投入電力を増やすことなく、輝度突き上げを実現することができる。
【０１５５】
また、本適用例では、バックライト１は、表示画像に合わせて部分的に液晶表示パネル９０に入射する光強度を変調する。しかし、光変調素子３０，６０，７０に含まれる電極（下側電極３２、上側電極３６）のパターンエッジ部分で急激な明るさ変化があると、表示画像上でもその境界部分が見えてしまう。そこで、できるだけ電極境界部分において、明るさが単調に変化する特性が求められ、そのような特性のことをぼかし特性と呼ぶ。ぼかし特性を大きくするためには、拡散性の強い拡散板を用いるのが効果的であるが、拡散性が強いと、全光線透過率も低くなるので明るさが低くなる傾向にある。従って、本適用例において、光学シート８０に拡散板を用いる場合には、その拡散板の全光線透過率は、５０％〜８５％であることが好ましく、６０％〜８０％であることがより好ましい。また、導光板１０と、バックライト１内の拡散板との空間距離を大きくすればするほど、ぼかし特性は良くなる。また、この他に、光変調素子３０，６０，７０に含まれる電極（下側電極３２、上側電極３６）のパターンの数を増やし、明と暗ができるだけ単調に変化するように各電極の電圧を調整することもできる。
【０１５６】
また、本適用例では、照明光における明暗の境界部分をぼかすことができることから、光変調素子３０，６０，７０内の電極パターンに由来する画質の劣化を抑制することができる。また、本適用例では、照明光における明暗の境界部分をぼかすにあたって、拡散板を追加しない場合には、より一層の薄型化を実現することができる。
【０１５７】
＜実施例＞
以下、本発明の実施例について説明する。なお、下記の実施例は例示であり、本発明はこれらの実施例に何ら限定されるものではない。
【０１５８】
（セル作成方法）
３００×２５０ｍｍサイズの液晶セルを以下のようにして作成した。まず、フィルム基板（ＰＥＴ）にＩＴＯを塗布したのち、レーザー加工によるパターニングによりＩＴＯ電極を作成した。次に、フィルム基板の表面のうちＩＴＯ電極側の表面に、ポリアミドイミド溶液をバーコータにて塗布し８０℃×１０分の乾燥を行った後、ラビング布を用いてラビングを行い、配向膜を作成した。この配向膜を５ｍｍ厚の導光板に粘着材料を用いて貼合し、導光板付きＩＴＯフィルムを作成した。さらに、導光板付きＩＴＯフィルム上に、液晶と、紫外線硬化性の液晶性モノマーと、重合開始剤とを所定組成になるように混合した溶液（以下、モノマー混合液晶と称する）を大気中で滴下した後、真空中で同様に作成した配向膜付きＩＴＯフィルムを貼り合わせて導光板付きフィルム液晶セルを作成した。
【０１５９】
２５℃、波長５８９ｎｍにおける常光屈折率１．５１３、異常光屈折率１．７１４、ネマチック−液晶相転移温度１０６℃の液晶を用いた。液晶性モノマーには、同じく常光屈折率１．４９、異常光屈折率１．６４、ネマチック−液晶相転移温度１０６℃の２官能モノマーを用いた。液晶と液晶性モノマーが９０：１０重量比となるように混合し、液晶性モノマーの重量比１％相当の重合性開始剤（（株）アデカ製Ｎ−１９１９）を添加した。その後、紫外線を照射して液晶中の液晶性モノマーを硬化させた。
【０１６０】
（面内輝度分布の測定方法）
作成したセルに貼合されている導光板の端面に白色ＬＥＤの光を照射した。導光板の上部には拡散シートおよびレンズシートをこの順に載せ、セルに電圧を印加しながら、面内輝度測定装置（ハイランド社製ＲＩＳＡ  Ｃｏｌｏｒ）を用いて、面内輝度を測定した。
【０１６１】
（実施例１）
３２０×２７０ｍｍサイズの２枚のフィルム基板を用意したのち、一方のフィルム基板上にＩＴＯ膜を形成し、幅８３ｍｍ、３列のとなるように短冊状のパターニングを行った。短冊状のＩＴＯ電極に、１００μｍ〜７００μｍの範囲内の所定のサイズの複数の穴を形成すると共に、その穴の、ＩＴＯ電極に占める割合が白色ＬＥＤの位置から遠ざかるに従って小さくなるようにするために、短冊状のＩＴＯ電極に形成する穴の密度を調整した。このとき、穴の密度を、一のＩＴＯ電極内において等しくした。他方のフィルム基板上にもＩＴＯ膜を形成し、そのＩＴＯ膜については、幅７５ｍｍ、４列となるように短冊状にパターニングすることにした。これら２枚のＩＴＯフィルム基板を重ね合わせて、７５×８３ｍｍサイズの４×３のマトリクス状になるようにした。フィルム基板の法線方向から見たときに、このＩＴＯ電極と、複数の穴が形成されたＩＴＯ電極とが互いに直交するように、導光板付きＩＴＯフィルムに、配向膜付きＩＴＯフィルムを貼り合わせた。このようにして作成した実施例１に係る導光板付きフィルム液晶セルの上に、拡散シートおよびレンズシートをこの順に載せたのち、１００Ｈｚ、１４０Ｖppのパルス電圧を一対のＩＴＯ電極間に印加し、白色ＬＥＤの光が、実施例１に係る導光板付きフィルム液晶セルを透過するようにした。その結果、３,０００ｃｄ／ｍ2±５％の面内輝度が得られた。この白輝度は実用レベルに耐え得る値であった。さらに、電圧印加を停止して黒輝度の面内輝度分布を測定したところ、５００ｃｄ／ｍ2±５％の面内輝度が得られた。この黒輝度も実用レベルに耐え得る値であった。
【０１６２】
（実施例２）
ＩＴＯ電極に形成する穴の、ＩＴＯ電極に占める割合が白色ＬＥＤの位置から遠ざかるに従って小さくなるようにするために、短冊状のＩＴＯ電極に形成する穴のサイズを、白色ＬＥＤの位置から遠ざかるに従って小さくした以外は、実施例１と同様にして、実施例２に係る導光板付きフィルム液晶セルを作成した。実施例２に係る導光板付きフィルム液晶セル上に、拡散シートおよびレンズシートをこの順に載せたのち、１００Ｈｚ、１４０Ｖppのパルス電圧を一対のＩＴＯ電極間に印加し、白色ＬＥＤの光が、実施例２に係る導光板付きフィルム液晶セルを透過するようにした。その結果、２,９００ｃｄ／ｍ2±５％の面内輝度が得られた。この白輝度は実用レベルに耐え得る値であった。さらに、電圧印加を停止して黒輝度の面内輝度分布を測定したところ、４８０ｃｄ／ｍ2±５％の面内輝度が得られた。この黒輝度も実用レベルに耐え得る値であった。
【０１６３】
（実施例３）
一方のフィルム基板上の各ＩＴＯ電極に形成する穴の密度を、各ＩＴＯ電極内（３×４ブロック中の１ブロック内）で、白色ＬＥＤの位置から遠ざかるに従って小さくした以外は、実施例１と同様にして、実施例３に係る導光板付きフィルム液晶セルを作成した。実施例３に係る導光板付きフィルム液晶セル上に、拡散シートおよびレンズシートをこの順に載せたのち、１００Ｈｚ、４８Ｖppのパルス電圧を白色ＬＥＤの位置に最も近い一対のＩＴＯ電極間に印加し、１００Ｈｚ、６２Ｖppのパルス電圧を白色ＬＥＤの位置に２番目に近い一対のＩＴＯ電極間に印加し、１００Ｈｚ、１４０Ｖppのパルス電圧を白色ＬＥＤの位置から最も遠い一対のＩＴＯ電極間に印加し、白色ＬＥＤの光が、実施例３に係る導光板付きフィルム液晶セルを透過するようにした。その結果、３,０００ｃｄ／ｍ2±５％の面内輝度が得られた。この白輝度は実用レベルに耐え得る値であった。さらに、電圧印加を停止して黒輝度の面内輝度分布を測定したところ、５００ｃｄ／ｍ2±５％の面内輝度が得られた。この黒輝度も実用レベルに耐え得る値であった。
【０１６４】
（比較例１）
一方のフィルム基板上の各ＩＴＯ電極に穴を形成しなかった以外は、実施例１と同様にして、比較例１に係る導光板付きフィルム液晶セルを作成した。比較例１に係る導光板付きフィルム液晶セル上に、拡散シートおよびレンズシートをこの順に載せて、黒輝度の面内輝度分布を測定したところ、実施例１と同様の結果となったが、白輝度の面内輝度分布を測定したところ、白色ＬＥＤから離れるにつれて輝度が急激に小さくなってしまい、面内輝度が不均一となった。
【０１６５】
（比較例２）
一方のフィルム基板上の各ＩＴＯ電極に穴を形成せず、さらに、導光板として、シリカ粒子の存在密度を変えて印刷した導光板を用いた以外は、実施例１と同様にして、比較例２に係る導光板付きフィルム液晶セルを作成した。比較例２に係る導光板付きフィルム液晶セル上に、拡散シートおよびレンズシートをこの順に載せて、白輝度の面内輝度分布を測定したところ、比較例１よりも面内輝度の不均一性は改善されたが、黒輝度の面内輝度分布を測定したところ、黒輝度が大きくなってしまい、実用レベルに耐えられる値に達しなかった。
【符号の説明】
【０１６６】
１…バックライト、２…表示装置、１０…導光板、２０…光源、３０，６０，７０…光変調素子、３０−１…光変調セル、３０Ａ…透過領域、３０Ｂ…散乱領域、３１，３７…透明基板、３２…下側電極、３２−１，３６−１…透明導電膜、３２Ａ，３６Ａ…部分電極、３２Ｂ，３６Ｂ…開口、３２Ｃ，３６Ｃ…ブロック、３３，３５…配向膜、３４，６４，７４…光変調層、３４Ａ，６４Ａ，７４Ａ…バルク、３４Ｂ，６４Ｂ…微粒子、３６…上側電極、３８…スペーサ、３９…シール剤パターン、４０…反射板、４１…混合物、５０…駆動回路、８０…光学シート、９０…液晶表示パネル、１００…拡散シート。
【図１】
2011142065.tif 000003
【図２】
2011142065.tif 000004
【図３】
2011142065.tif 000005
【図４】
2011142065.tif 000006
【図５】
2011142065.tif 000007
【図６】
2011142065.tif 000008
【図７】
2011142065.tif 000009
【図８】
2011142065.tif 000010
【図９】
2011142065.tif 000011
【図１０】
2011142065.tif 000012
【図１１】
2011142065.tif 000013
【図１２】
2011142065.tif 000014
【図１３】
2011142065.tif 000015
【図１４】
2011142065.tif 000016
【図１５】
2011142065.tif 000017
【図１６】
2011142065.tif 000018
【図１７】
2011142065.tif 000019
【図１８】
2011142065.tif 000020
【図１９】
2011142065.tif 000021
【図２０】
2011142065.tif 000022
【図２１】
2011142065.tif 000023
【図２２】
2011142065.tif 000024
【図２３】
2011142065.tif 000025
【図２４】
2011142065.tif 000026
【図２５】
2011142065.tif 000027
【図２６】
2011142065.tif 000028
【図２７】
2011142065.tif 000029
【図２８】
2011142065.tif 000030
【図２９】
2011142065.tif 000031
【図３０】
2011142065.tif 000032
【図３１】
2011142065.tif 000033
【図３２】
2011142065.tif 000034
【図３３】
2011142065.tif 000035
【図３４】
2011142065.tif 000036
【図３５】
2011142065.tif 000037
【図３６】
2011142065.tif 000038
【図３７】
2011142065.tif 000039
【図３８】
2011142065.tif 000040
【図３９】
2011142065.tif 000041
【図４０】
2011142065.tif 000042
【図４１】
2011142065.tif 000043
【図４２】
2011142065.tif 000044
【図４３】
2011142065.tif 000045
【図４４】
2011142065.tif 000046
【図４５】
2011142065.tif 000047